(57)【要約】【課題】オーディオデータ等のサーバシステムにおいてより付加価値の高い情報提供の実現。【解決手段】オーディオデータ、及び、該オーディオデータに関連する関連情報を格納する格納手段と、印刷形態を指定する印刷形態指定手段と、格納手段に格納されているオーディオデータから少なくとも１のオーディオデータを選択し、印刷形態指定手段によって指定された印刷形態に基づいて選択されたオーディオデータに関連する関連情報を印刷させるプリントデータを生成する制御手段と、制御手段によって生成されたプリントデータを印刷する印刷手段とを備える。【選択図】        図１
2008097816.tif 000002
【特許請求の範囲】
【請求項１】
オーディオデータ、及び、該オーディオデータに関連する関連情報を格納する格納手段と、
印刷形態を指定する印刷形態指定手段と、
前記格納手段に格納されている前記オーディオデータから少なくとも１のオーディオデータを選択し、上記印刷形態指定手段によって指定された印刷形態に基づいて前記選択されたオーディオデータに関連する関連情報を印刷させるプリントデータを生成する制御手段と、
前記制御手段によって生成されたプリントデータを印刷する印刷手段と
を備えることを特徴とする情報処理装置。
【請求項２】
オーディオデータ、及び、該オーディオデータに関連する関連情報を格納する格納手段と、
印刷形態を指定する印刷形態指定手段と、
前記格納手段に格納されている前記オーディオデータから少なくとも１のオーディオデータを選択し、上記印刷形態指定手段によって指定された印刷形態に基づいて前記選択されたオーディオデータに関連する関連情報を印刷させるプリントデータを生成する制御手段と、
を備えることを特徴とする情報処理装置。
【請求項３】
前記制御手段は、前記選択されたオーディオデータを記録媒体に記録するように指示を与える
ことを特徴とする請求項２に記載の情報処理装置。
【請求項４】
前記印刷形態指定手段によって指定される印刷形態は、印刷される印刷物の一方の略半分には前記選択されたオーディオデータに関連する関連情報の画像データを印刷させ、他方の略半分には前記選択されたオーディオデータに関連する関連情報の文字データ及び画像データを印刷させる形態を含む
ことを特徴とする請求項２に記載の情報処理装置。
【請求項５】
前記印刷形態指定手段によって指定される印刷形態は、前記選択されたオーディオデータに関連する関連情報の画像データと文字データとを重ねて印刷させる形態を含む
ことを特徴とする請求項２に記載の情報処理装置。
【請求項６】
前記選択されたオーディオデータに関連する関連情報を表示させる表示手段をさらに備える
ことを特徴とする請求項２に記載の情報処理装置。
【請求項７】
前記格納手段は、前記オーディオデータに関連する関連情報として文字データ及び画像データを格納し、該文字データと該画像データは、前記格納手段に格納されている各オーディオデータに対応づけられて記憶される
ことを特徴とする請求項２に記載の情報処理装置。
【請求項８】
前記制御手段は、オーディオデータに関連する関連情報と、撮影手段によって撮影された画像データとを用いて編集画像データを生成し、その編集画像データを印刷させるプリントデータを生成する
ことを特徴とする請求項２に記載の情報処理装置。
【請求項９】
オーディオデータに関連する関連情報のプリントデータ生成するプリントデータ生成方法において、
複数のオーディオデータから少なくとも１のオーディオデータを選択する選択ステップと、
印刷形態を指定する印刷形態指定ステップと、
指定された前記印刷形態に基づいて、前記選択されたオーディオデータに関連する関連情報を印刷させるプリントデータを生成するプリントデータ生成ステップと、
を備えることを特徴とするプリントデータ生成方法。
【請求項１０】
前記選択ステップで選択されたオーディオデータを記録媒体に記録する指示を与える記録指示ステップを備えることを特徴とする請求項９に記載のプリントデータ生成方法。
【請求項１１】
前記プリントデータ生成ステップで生成されたプリントデータを印刷する印刷ステップとを備えることを特徴とする請求項９に記載のプリントデータ生成方法。
【発明の詳細な説明】
【技術分野】
【０００１】
本発明は所定の記録媒体に対してオーディオデータのダビング記録を行う情報処理装置に関し、特にそのオーディオダビングとともに印刷出力を行うプリントデータ生成方法に関するものである。
【背景技術】
【０００２】
記録及び再生が可能な記録媒体として、カートリッジ内に収納される直径約６４ｍｍのディスク状の記録媒体である、ミニディスク（商標）と呼ばれる光磁気ディスクが知られている。
この光磁気ディスクは、音声圧縮方式としてオーディオ用適応変化符号化方式（ＡＴＲＡＣ：Adaptive  Transform  Acoustic  Coding方式）を用いてステレオで約７４分のオーディオデータを記録することができる。
そして、このような光磁気ディスクは、小型で携帯性に富むことから屋外に持ち出すことが容易である。また、この光磁気ディスクは、従来のいわゆるコンパクトディスク（商標）と呼ばれるデジタルオーディオディスクと異なり記録が行えることから、オーディオデータの複製をすることができる。
【発明の開示】
【発明が解決しようとする課題】
【０００３】
ところで、光磁気ディスクに対して約１／５に圧縮したオーディオデータを記録するため、圧縮したオーディオデータをそのままサーバに格納しておき、なんらデコーダやエンコーダを介さずこのデータを記録するオーディオダビングシステムが考えられる。
このようなオーディオダビングシステムを考えたとき、その記録時間は、圧縮データをそのまま記録するため、オーディオデータを音声で再生しながら記録するのに比較して短くなる。
【０００４】
そしてユーザーが持参した光磁気ディスクをこのオーディオダビングシステムに装填し、サーバ内にオーディオデータとして記録されている複数の曲の中から１または数曲を選択してダビングを行うことができるようにすることで、楽曲の新たな販売形態を実現できる。
ところが、例えばこのような販売／サービス形態を考えたとき、単にオーディオデータをダビングするだけでは不十分であり、より付加価値を高めることが求められている。
【課題を解決するための手段】
【０００５】
本発明はこのような実情を鑑みてなされたものであり、オーディオデータとしての情報提供を行う際に、その関連情報も提供することで、販売／サービスとしての付加価値を高めることを目的とする。
【０００６】
本発明は、オーディオデータ、及び、該オーディオデータに関連する関連情報を格納する格納手段と、印刷形態を指定する印刷形態指定手段と、前記格納手段に格納されている前記オーディオデータから少なくとも１のオーディオデータを選択し、上記印刷形態指定手段によって指定された印刷形態に基づいて前記選択されたオーディオデータに関連する関連情報を印刷させるプリントデータを生成する制御手段と、前記制御手段によって生成されたプリントデータを印刷する印刷手段とを備える。
【０００７】
さらに、オーディオデータ、及び、該オーディオデータに関連する関連情報を格納する格納手段と、印刷形態を指定する印刷形態指定手段と、前記格納手段に格納されている前記オーディオデータから少なくとも１のオーディオデータを選択し、上記印刷形態指定手段によって指定された印刷形態に基づいて前記選択されたオーディオデータに関連する関連情報を印刷させるプリントデータを生成する制御手段と、を備える。
また、前記制御手段は、前記選択されたオーディオデータを記録媒体に記録するように指示を与える。
また、前記印刷形態指定手段によって指定される印刷形態は、印刷される印刷物の一方の略半分には前記選択されたオーディオデータに関連する関連情報の画像データを印刷させ、他方の略半分には前記選択されたオーディオデータに関連する関連情報の文字データ及び画像データを印刷させる形態を含むよう構成される。
また、前記印刷形態指定手段によって指定される印刷形態は、前記選択されたオーディオデータに関連する関連情報の画像データと文字データとを重ねて印刷させる形態を含む。
また、前記選択されたオーディオデータに関連する関連情報を表示させる表示手段をさらに備える。
また、前記格納手段は、前記オーディオデータに関連する関連情報として文字データ及び画像データを格納し、該文字データと該画像データは、前記格納手段に格納されている各オーディオデータに対応づけられて記憶される。
また、前記制御手段は、オーディオデータに関連する関連情報と、撮影手段によって撮影された画像データとを用いて編集画像データを生成し、その編集画像データを印刷させるプリントデータを生成する。
【０００８】
オーディオデータに関連する関連情報のプリントデータ生成するプリントデータ生成方法において、複数のオーディオデータから少なくとも１のオーディオデータを選択する選択ステップと、印刷形態を指定する印刷形態指定ステップと、指定された前記印刷形態に基づいて、前記選択されたオーディオデータに関連する関連情報を印刷させるプリントデータを生成するプリントデータ生成ステップと、を備える。
【発明の効果】
【０００９】
以上説明してきたように本発明は、ダビング動作によりオーディオデータとしての情報提供を行う際に、その関連情報もプリントアウトして出力し、提供することができるようにしているため、より付加価値の高いオーディオデータ提供形態を実現できるという効果がある。
【００１０】
また関連情報は、格納手段内に各オーディオデータに対応づけられて記憶されているようにしたり、他の記録媒体に記録されているようにしたり、もしくは通信ネットワークから手に入れることができるようにすることで、多様な情報を提供できる。例えば歌詞カード、イメージ画像、写真、アーティストのプロフィール、メッセージ、作曲／作詞者、プロデューサ等のクレジットなどの各種多様な関連情報を印刷出力する情報として有効に活用でき、情報提供側やユーザーサイドにとって最も有効な情報提供形態を実現できる。
【００１１】
さらに撮影情報も印刷出力のための情報として利用することで、例えば利用者がアーティストと一緒にっている写真のようなユーザーフレンドリーな画像提供も可能となる。
【００１２】
また、印刷用紙をシール形態とすることで、例えばミニディスク等のオーディオデータをダビングする記録媒体のラベル貼付領域に合致した曲名ラベルや、アーティスト名ラベルその他を提供でき、ユーザーの便宜をはかることができる。
【発明を実施するための最良の形態】
【００１３】
以下、本発明の実施の形態として、ミニディスクシステムを利用して構成されるオーディオダビングシステムについて、次の順序で説明する。
１．オーディオダビングシステムの構成
２．ミニディスクのクラスタフォーマット
３．Ｕ−ＴＯＣ
４．オーディオデータの伝送方式
５．ＴＯＣ情報の伝送方式
６．オーディオデータ及びＴＯＣ情報のダビング動作
７．オーディオダビング時のモニタ動作
８．関連情報の印刷出力
９．撮影画像を含めた印刷出力
【００１４】
１．オーディオダビングシステムの構成
図１に、この実施の形態であるオーディオダビングシステムの構成を示す。
オーディオダビングシステム１は、オーディオダビング動作を行うための基本的な部位として、オーディオ送信部１０と記録部２０を備える。
オーディオ送信部１０は、メインコントローラ１１、サーバ１２、操作入力部１３、表示部１４等を有する。
また記録部２０は、可搬性の記録媒体であるディスクＤにオーディオデータを記録する機能を有する。
オーディオ送信部１０と記録部２０は接続ケーブル２により接続される。
【００１５】
このオーディオダビングシステム１は、オーディオ送信部１０のサーバ１２にオーディオデータを予め格納しておき、このサーバ１２に格納してあるオーディオデータの中からユーザが所望のオーディオデータを選択し、例えばユーザーの所有するディスクＤに記録するものである。
【００１６】
すなわち、このオーディオダビングシステム１は、いわゆるコンパクトディスクやオーディオテープのような媒体等にオーディオデータを格納した形態でコンテンツ（楽曲等）を提供せずに、ユーザの所有する記録媒体（ディスクＤ）に対してオーディオデータを記録してユーザーに音楽のコンテンツを提供するシステムである。例えば、駅、店頭等にオーディオダビングシステム１を設置して、音楽のコンテンツをユーザーに有料もしくは無料で提供したり、また、音楽スタジオ等にオーディオダビングシステム１を設置してコンテンツ管理に用いたりすることができる。
【００１７】
まず、このオーディオダビングシステム１のサーバ１２には、オーディオデータとして１曲数分程度の音楽のコンテンツ、例えば最新のヒットチャート内のトップ１００までの音楽のコンテンツ等が格納してある。各コンテンツは前述したＡＴＲＡＣ方式による圧縮データとして記録されている。
【００１８】
ユーザーは、このオーディオダビングシステム１により提供されるコンテンツを表示部１４により確認し、希望するコンテンツがある場合は、操作入力部１３を用いて１又は複数のコンテンツを選択する。そして、ユーザーは自己の所有するディスクＤを記録部２０に装填し、操作入力部１３を用いて記録開始の操作を行う。
【００１９】
ユーザーにより記録開始の操作が行われるとオーディオ送信部１０のメインコントローラ１１は、サーバ１２に格納してあるコンテンツのうち、所定のコンテンツのオーディオデータを記録部２０に供給する。
記録部２０は、オーディオ送信部１０から供給されたオーディオデータをディスクＤの空き領域に記録する。
そしてオーディオダビングシステム１は、ディスクＤにユーザが希望するコンテンツのオーディオデータの記録が終了すると、コンテンツの提供を完了させる。
【００２０】
そして本例ではディスクＤをミニディスクシステムにおけるディスクであるとし、データ量が約１／５に圧縮したＡＴＲＡＣオーディオデータを記録するとする。従ってサーバ１２に格納されたＡＴＲＡＣ方式のオーディオデータは、圧縮／伸長のためのデコード処理やエンコード処理を介さずに、サーバ１２からディスクＤにダビング記録することができ、そのダビング記録のために要する時間は、圧縮データをそのまま記録するため、オーディオデータを音声で再生しながら記録するのに比較して短くなる。
【００２１】
このオーディオダビングシステム１にはさらに図示するように、再生部４１、関連情報再生部４６、通信用インターフェース４４、光ディスクドライブ４５が設けられる。
再生部４１はデコーダ４２，再生処理回路４３等を有する。
関連情報再生部４６はプリンタ装置４７，ディスプレイ４８，スピーカ４９等を有する。
【００２２】
このオーディオダビングシステム１は、オーディオデータのディスクＤへのダビング動作を行うとともに、これらの再生部４１、関連情報再生部４６、通信用インターフェース４４、光ディスクドライブ４５を用いて多様な動作を行うことができる。
例えばディスクＤに記録するオーディオデータを再生部４１により再生してスピーカ或いはヘッドフォンに出力し、また、記録するオーディオデータの関連情報を関連情報再生部４６から出力する。
【００２３】
再生部４１においては、デコーダ４２は、メインコントローラ１１から供給されるＡＴＲＡＣデータを伸張し、オーディオデータを生成する。このオーディオデータは、デコーダ４２から再生処理回路４３に供給される。
再生処理回路４３は、デジタル信号をアナログ信号に変換する処理や増幅処理等を行い、アナログのオーディオ信号を生成する。再生処理回路４３により生成されたアナログのオーディオ信号は、スピーカ又はへッドフォン等に供給され、音声として出力される。この再生部４１により、例えばダビングしているオーディオデータのユーザーに対するモニタ音声等としての音声出力が可能となる。
【００２４】
通信用インターフェース４４は、例えばモデムやＩＳＤＮ(Integrated  Services  Digital  Network)  回線用のターミナルアダプタ等である。
メインコントローラ１１は、この通信用インターフェース４４を介して、インターネットのＷＷＷ(World  Wide  Web)サイトから画像情報や音声情報、テキスト情報等を取得することができる。
【００２５】
光ディスクドライブ装置４５は、いわゆるビデオＣＤやＣＤ−ＲＯＭ又はＤＶＤといわれる光ディスク等を再生する装置である。
メインコントローラ１１は、この光ディスクドライブ装置４５によって、ＣＤ−ＲＯＭ等に記録された画像情報や音声情報、テキスト情報等を取得することができる。
【００２６】
関連情報再生部４６のプリンタ装置４７は、メインコントローラ１１から供給される画像情報やテキスト情報をプリントアウトする。
ディスプレイ４８は、メインコントローラ１１から供給される画像情報やテキスト情報を表示する。なお、このディスプレイ４８は、オーディオ送信部１０の表示部１４と共通のものであってもよい。
スビーカ４９は、メインコントローラ１１から供給される音声情報を出力する。なお、このスピーカ４９は、再生部４１から出力するオーディオ信号を出力するスピーカやへッドフォンと共通のものであってもよい。
【００２７】
サーバ１２には、上述したように複数のコンテンツのＡＴＲＡＣデータが格納してある。
また、サーバ１２には、各コンテンツに対応して、記録部２０に供給するＡＴＲＡＣデータの内、再生部４１に供給して記録時に再生音を出力する部分を示したリストを格納している。
【００２８】
また、サーバ１２には、各コンテンツに対応して、そのコンテンツのアーティストの写真や、そのトラックのイメージ画像を格納している。また、そのコンテンツとしての楽曲の歌詞や、アーティストの履歴を示したテキストデータを格納している。さらに、サーバ１２は、このようなアーティストの写真や動画像がビデオＣＤやインターネット上のホームページにある場合は、ビデオＣＤのチャプタ番号や、ホームページアドレス等を格納している。
即ちメインコントローラ１１は各コンテンツに関して関連情報として画像情報、文字情報を得ることができ、これらを関連情報再生部から、印刷、表示、音声等の形態で出力し、ユーザーに対して提供できる。
【００２９】
またメインコントローラ１１は、上述したようにユーザーにより選択されたトラックをディスクＤに記録するため、ＡＴＲＡＣデータをサーバ１２から読み出して、記録部２０に供給する際に、その記録部２０に供給するトラックのＡＴＲＡＣデータの内、所定部分のＡＴＲＡＣデータを再生部４１に供給する。これは、記録部２０がＡＴＲＡＣデータの記録をしている間、この記録されているトラックをユーザーが聞くことができるようにするためである。
ただしＡＴＲＡＣデータは、約１／５程度に信号圧縮されているため、記録している間にそのトラックの再生を行なおうとすると、時間的に全てのデータを再生することができない。そこで、メインコントローラ１１は、記録するＡＴＲＡＣデータの一部分を切り出して、再生部４１に供給している。
【００３０】
再生部４１に供給するＡＴＲＡＣデータは、例えば、曲の冒頭部分、いわゆるさびの部分、曲の終了部分等を切り出した分であり、この切り出した部分を予めサーバ１２に設定しておく。また、記録するＡＴＲＡＣデータとは直接的に関係ないデータを再生部４１に供給して音声出力してもよい。例えば、記録するトラックのアーティストの他の曲などとする例である。
【００３１】
２．ミニディスクのクラスタフォーマット
ここで、このオーディオダビングシステム１で取り扱う記録媒体（ディスクＤ）として、いわゆるミニディスク（商標）と呼ばれるフォーマットに規定された記録再生が可能な光磁気ディスクについて説明する。
【００３２】
本例においてディスクＤとして用いられる、ミニディスクと呼ばれる光磁気ディスクは、カートリッジ内に収納された直径約６４ｍｍの円盤状の記録媒体であり、音声圧縮方式としてオーディオ用適応変化符号化方式、すなわち、ＡＴＲＡＣ  (Adaptive  Transform  Acoustic  Coding)  方式を用いてステレオで約７４分のオーディオデータを記録することができる。
【００３３】
また、オーディオダビングシステム１は、ＡＴＲＡＣ方式で圧縮したオーディオデータをディスクＤに記録することから、サーバ１２に格納するコンテンツのオーディオデータを予めＡＴＲＡＣ方式で圧縮しておき、このＡＴＲＡＣ方式で圧縮してあるオーディオデータをデコーダ及びエンコーダを介さず直接光ディスクＤに記録する（以下、このＡＴＲＡＣ方式で圧縮したオーディオデータをＡＴＲＡＣデータという）。
従って、オーディオ送信部１０から記録部２０にオーディオデータを伝送する接続ケーブル２は、ＡＴＲＡＣデータを伝送することとなる。なお、この接続ケーブル２は、制御コマンドやディスクＤのＴＯＣ情報等のコマンドデータ(Command)  等を伝送するが、このことは後述する。
【００３４】
次に、オーディオダビングシステム１において用いられるディスクＤ（いわゆるミニディスク）のデータのフォーマットについて説明する。
ディスクＤに記録されるデータは、図２に示すように、クラスタと呼ばれる単位で管理される。ディスクＤは、このクラスタの整数倍でデータの書き込みがされる。この１クラスタに記録されたＡＴＲＡＣデータを再生すると、約２．０４秒の音声信号となる。
【００３５】
１クラスタは、リンキングセクタ(linking  sector)が３セクタと、サブデータセクタ(sub  data)が１セクタと、メインセクタ（ＡＴＲＡＣで圧縮されたオーディオデータやＴＯＣ情報の記録に用いられるセクタ）が３２セクタの合計３６セクタで構成されている。
なお、セクタとは、２３５２バイトのデータにより構成される単位である。
【００３６】
リンキングセクタ(linking  sector)は、ディスクＤのフォーマットにおいてＡＣＩＲＣ（Advanced  Cross  Interleave  Reed  Solomon  Code)方式のエラー訂正処理を用いているため、このエラー訂正処理のインターリーブがクラスタ内で完了するように割り当てられたセクタである。すなわち、リンキングセクタ（linking  sector)  は、データの書き換えをクラスタ単位で行えるように、エラー訂正処理におけるインターリーブを考慮した捨セクタである。
サブデータセクタ(sub  data)は、リザーブの領域となっている。
【００３７】
ディスクＤでは、４２４バイトのＡＴＲＡＣ方式で圧縮したデータをサウンドグループと呼ぶ単位で取り扱っている。このサウンドグループでは、左右チャンネル毎に、２１２バイトのデータを割り当てている。このサウンドグループ単位の圧縮したデータを伸張すると、左右チャンネルの５１２サンプルに相当することになる。この５１２サンプルのデータは、すなわち、２０４８バイトのデータに相当する。詳しくは、５１２サンプル×１６ビット×２チャンネル÷８ビット＝２０４８バイトである。
このサウンドグループが１１個集まったものが、図３に示すように、２セクタを構成する。
【００３８】
３．Ｕ−ＴＯＣ
デイスクＤの記録領域は、ＡＴＲＡＣ方式で圧縮されたオーディオデータが記録されるプログラム領域と、このプログラム領域に記録されたオーディオデータを管理する管理データが記録される管理領域であるＵ−ＴＯＣ(User  Table  of  Contents)とリードイン領域であるＰ−ＴＯＣ(Pre-mastered  Table  of  Contents)とに分割されている。
【００３９】
このディスクＤでは、実際の音楽データを書き換えなくても、Ｕ−ＴＯＣの情報を書き換えることにより、曲の消去や編集を行うことができる。例えば、５曲記録されているディスクＤに対して、３曲目のスタートアドレス及びエンドアドレスを消去すれば、３曲自は再生ができなくなる。
換言すれば、ディスクＤにＡＴＲＡＣデータを記録する場合は、このＵ−ＴＯＣ情報も同時に書き換えなけれはならない。以下、このＵ−ＴＯＣについて説明していく。なお、ディスクＤに記録されるオーディオデータの単位を以下「トラック」と称することとする。このトラックは、例えば、曲の単位等であり、上述したオーディオダビングシステム１で提供される音楽のコンテンツに対応する単位である。
【００４０】
ディスクＤのＵ−ＴＯＣは、Ｕ−ＴＯＣセクタ０〜Ｕ−ＴＯＣセクタ３１までの３２セクタを利用することができる。このうちでセクタ０〜４が既に規定されている。Ｕ−ＴＯＣセクタ０、セクタ１、セクタ２、セクタ４についてくわしく説明していく。
【００４１】
図４にＵ−ＴＯＣセクタ０に記録されるデータを示す。ここで、Ｕ−ＴＯＣセクタ０に記録されているデータを１バイトづつ区切って便宜上スロットとして表す。各スロットは、図４中に示している縦軸の０〜５８７の数値（ｘ）と、横軸の左から１〜４番のスロット番号（ｙ）により（ｘ行，ｙ番）で示すものとする。なお、Ｕ−ＴＯＣセクタ１以降も同様とする。
【００４２】
Ｕ−ＴＯＣセクタ０には、１２バイトのヘッダデータに続いて、スロット（３行，１番）から３バイトで、このＴＯＣセクタ０のアドレス情報を示す『ＣｌｕｓｔｅｒＨ』『ＣｌｕｓｔｅｒＬ』『Ｓｅｃｔｏｒ』が記録される。またスロット（３行，４番）に『Ｍｏｄｅ』としてミニディスクシステムであることの識別コ−ドが記録される。
またスロット（７行，１番）から、ディスクＤの製造者を示す『Ｍａｋｅｒ  ｃｏｄｅ』と、ディスクＤのモデルを示す『Ｍｏｄｅｌ  ｃｏｄｅ』と、このディスクＤの最初のトラックのトラック番号を示す『ＦｉｒｓｔＴＮＯ』と、最後のトラックのトラック番号を示す『ＬａｓｔＴＮＯ』とが記録される。また、スロット（８行，４番）にセクタの使用状況を示す『Ｕｓｅｄ  Ｓｅｃｔｏｒｓ』が、スロット（１０行，１番）にディスクのシリアル番号を示す『ＤｉｓｃＳｓｅｒｉａｌＮｏ』が記録されている。
【００４３】
またスロット（１１行，１番）から、ディスクのＩＤ番号を示す『ＤｉｓｃＩＤ』と、ディスクＤ上に生じた欠陥アドレス情報を記録する領域のスタートアドレスが記録されているスロットを示すポインタである『Ｐ−ＤＦＡ』と、スロットの使用状況を示すポインタである『Ｐ−ＥＭＰＴＹ』と、記録可能領域を管理する領域のスタートアドレスが記録されているスロットを示すポインタである『Ｐ−ＦＲＡ』とが記録される。さらに続いて、ディスクＤに記録されている各トラックのスタートアドレスが記録されているスロットを示すポインタである『Ｐ−ＴＮＯｎ』がスロット（７５行，４番）まで記録されている。ここで、ｎは、各トラックのトラック番号を示している。このｎは、１〜２５５までの整数で表される。
トラックを管理するためのポインタＰ−ＴＮＯｎとして『Ｐ−ＴＮＯ０』〜『Ｐ−ＴＮＯ２５５』までが用意されることにより、ディスクＤには最高２５５トラック記録することができる。
【００４４】
また、スロット（７８行，１番）からは、８バイトを１つのテーブルとして各トラックのスタートアドレスと、エンドアドレスと、リンク情報Ｌｉｎｋ−Ｐと、トラックモード（Ｔｒａｃｋｍｏｄｅ）が記録されている。
Ｕ−ＴＯＣセクタ０には、このスタートアドレスとエンドアドレス等が記録されるスロットが２５５×４×２個（２５５テーブル）設けられており、各トラックに対応するポインタに示されるテーブルにそのトラックのスタートアドレスとエンドアドレス等が記録される。
上述したポインタＰ−ＤＦＡ，Ｐ−ＥＭＰＴＹ，Ｐ−ＦＲＡに記録される値は、２５５個のテーブルのうちの１つを示すこととなる。
【００４５】
各テーブルにおけるスタートアドレスとエンドアドレスは、図５に示すように、３バイト＝２４ビットのデータで表されている。このスタートアドレスとエンドアドレスには、最初の１４ビットにクラスタアドレスが記録され、次の６ビットにセクタアドレスが記録され、最後の４ビットにサウンドグループのアドレスが記録されている。
【００４６】
また、トラックモード（Ｔｒａｃｋｍｏｄｅ）は、図６に示すように、１バイト＝８ビットのデータで表されている。
このトラックモード（Ｔｒａｃｋｍｏｄｅ）には、１ビット目に記録のプロテクト情報、２ビット目に複製のプロテクト情報、３ビット目に世代情報、４ビット目にオーディオ情報、５及び６ビット目に消去保存情報、７ビット目にモノラル又はステレオ情報、８ビット目にエンファシス情報が記録されている。すなわち、このトラックモード（Ｔｒａｃｋｍｏｄｅ）には、各トラック固有の関連情報が記録されている。
【００４７】
リンク情報Ｐ−Ｌｉｎｋは、同一トラックが連続したデータストリームでディスクＤに記録されていない場合、すなわち、同一のトラックのデータがディスクＤ上の記録領域に離散的に記録されている場合、次のデータがどこのスタートアドレスから記録されているかを示すポインタである。例えば、１つのトラックを再生する際にスロット（７８行，１番）からのテーブルに表されているエンドアドレスに続いてスロット（５８６行，１番）のテーブルのスタートアドレスからのデータを再生しなけれはならない揚合は、スロット（８０行，４番）のリンク情報Ｌｉｎｋ−Ｐがスロット（５８６行，１番）を示すことになる。
【００４８】
すなわちディスクＤでは、記録媒体上にデータを必ずしも連続した形態で記録しなくてもよく、つまリ、連続したデータストリームで記録しなくてもよく、シーケンシャルなデータ列を離散的に記録してもよい。このように離散的にデータを記録しても、このリンク情報Ｐ−Ｌｉｎｋによりデータの連続性が示され、再生の際に、読みだしたデータを一旦メモリに蓄積しメモリへの書込レートを読出レートより早くすることにより、連続したデータが途切れることなく再生をすることができる。
【００４９】
また、既に記録済みのデータの上に記録済みのプログラムより短いデータを上書きする場合であっても、余った部分を消去することなく記録可能領域(P-FRA)  として指定することで効率よく記録することができる。
【００５０】
記録可能領域であるポインタＰ−ＦＲＡの例を用いて離散的に存在するエリアの結合方法について、図７を用いて説明する。
Ｕ−ＴＯＣ０の記録可能領域を管理するスロットの先頭位置を示すポインタＰ−ＦＲＡに、例えば０３ｈ(hexia-decimal)  が記録されていたとすると、この０３ｈに対応するスロットにまずアクセスをする。
なおスロット０３ｈとは、スロット（８２行，１番）からの８バイトの領域（テーブル）を示すことになる。
【００５１】
ポインタの値は、その値を用いた所定の演算処理により特定のスロットを示すようにされる。
即ち、ポインタの値を「Ｐ」とすると、３０４＋Ｐ×８としてのバイトポジションが示される。従って上記「０３ｈ」とは、３０４＋３×８＝３２８であり、これはスロット（８２行，１番）のバイトポジションに相当する（８２×４＝３２８）。
各ポインタ及びリンク情報は、すべてこの形態であるスロットを指定するものとなる。
【００５２】
スロット０３ｈに記録されているスタートアドレス及びエンドアドレスデータはディスク上に記録されたトラックの中の１つパーツの起点アドレスと終点アドレスを示す。
スロット０３ｈに記録されているリンク情報は次に続くべきスロット番号を示しており、この場合は１８ｈが記録されている。
【００５３】
スロット１８ｈに記録されているリンク情報を次にたどってスロット２Ｂｈをアクセスし、さらにスロット２Ｂｈに記録されているリンク情報を次にたどってスロットＥ３ｈをアクセスする。このようにしてリンク情報として００ｈデータが現れる迄リンク情報をたどっていく。そして各スロットのアクセスの際に読み込まれたスタ−トアドレスからエンドアドレスまでの区間が、すべてフリ−エリアとして管理されていることになる。
【００５４】
このようにポインタＰーＦＲＡによって指示されるスロットを起点にリンク情報がＮｕｌｌ（＝００ｈ）になるまでスロットを辿り、ディスク上に離散的に存在するフリ−エリアとしてのパーツをメモリ上でつなげることが可能となる。
ここでポインタＰ−ＦＲＡを例に説明したが、Ｐ−ＤＦＡ、Ｆ−ＥＭＰＴＹ、Ｐ−ＴＮＯ０〜２５５の各ポインタからも同様に離散的に存在するパーツを結合することができる。例えばポインタＰ−ＴＮＯ０〜２５５の場合はディスク上に離散的に記録された１つのトラックを構成するパーツをメモリ上でつなげることが可能となる。
【００５５】
図８にＵ−ＴＯＣセクタ１に記録されるデータを示す。
Ｕ−ＴＯＣセクタ１では、プログラム領域に記録されている各トラックのタイトル、ディスク全体のタイトルが管理されている。
光ディスクＤの全体のタイトルとは、記録されるトラックがオーデイオデータの場合はアルバムタイトル及び演奏者名等の情報になり、各トラックのタイトルとは曲名に相当する。
【００５６】
各トラック毎の文字情報は、スロット（１２行、２番）からのポインタＰ−ＴＮＡｎ（ｎは１から２５５）によって指示さるスロットに記録されており、文字数が多い場合はリンク情報を用いて複数のスロットを連結して記録を行っている。
【００５７】
図９にＵ−ＴＯＣセクタ２に記録されるデータを示す。
Ｕ−ＴＯＣセクタ２では、プログラム領域に記録されている各プログラム毎の記録日時が上述したＵ−ＴＯＣセクタ０と同様な形態で管理されている。
すなわちスロット（１２行、２番）からのポインタＰ−ＴＲＤｎ（ｎは１から２５５）によって指示されるスロットに、各トラックの記録日時等が記録される。
【００５８】
図１０にＵ−ＴＯＣセクタ４に記録されるデータを示す。
Ｕ−ＴＯＣセクタ４では、Ｕ−ＴＯＣセクタ１と同様にプログラム領域に記録されている各トラックのタイトル、ディスク全体のタイトルが記録される。ただしこのセクタ４は、フォントとして漢字、欧州文字等による文字情報の記録領域として設定されている。
管理形態は上述したＵ−ＴＯＣセクタ１と同様となる。
またこのセクタでは記録されている文字種別を示すためにスロット（１０行、４番）に『ｃｈａｒ  ｃｏｄｅ』が記録される。
【００５９】
４．オーディオデータの伝送方式
つぎに、オーデイオダビングシステム１のダビング動作について説明する。このために図１１に、図１に示した記録部２０の詳しい構成を示す。
【００６０】
図示するように記録部２０は、オーディオ送信部１０からデータが供給されランダムアクセスメモリ（ＲＡＭ）２２を制御するメモリコントローラ２１と、データを復号及び符号化するエンコード・デコード回路２３と、磁気ヘッド２５を駆動する磁気ヘッド駆動回路２４と、ディスクＤにレーザを照射するとともに反射光を検出する光ピックアップ２６と、このピックアップ２６から検出した反射光からフォーカスエラー信号（ＦＥ），トラッキングエラ−信号（ＴＥ），光磁
気再生信号（ＭＯ）を再生するＲＦアンプ２７と、ＲＦアンプ２７からのプッシュプル信号（ＰＰ）に基づき光ディスクの案内溝に形成されているグルーブウォブルに応じた信号を再生し絶対アドレスをデコードするアドレスデコーダ２８と、ディスクＤを回転駆動させるスピンドルモータ２９と、光ピックアップ２６をディスクＤの半径方向に駆動させるスレッド機構３０とを備える。
【００６１】
さらに記録部２０は、ＲＦアンプ２７からのフォーカスエラー信号（ＦＥ），トラッキングエラ−信号（ＴＥ）等に基づき、フォーカスサーボ，トラッキングサーボ，スレッドサーボ，スピンドルサーボ等を制御するサーボ回路３１と、メモリコントローラ２１，エンコード・デコード回路２３，サーボ回路３１等を制御するシステムコントローラ３２とを備える。
【００６２】
光ピックアップ２６は、レーザダイオードから対物レンズを介して光ディスクＤにレーザを出射する。また、光ピックアップ２６は、ディスクＤからの反射光をフォトディテクタにより検出して、検出電流をＲＦアンプ２７に供給する。    ＲＦアンプ２７は、光ピックアップ２６からの検出電流に基づき、フォーカスエラー信号（ＦＥ），トラッキングエラ−信号（ＴＥ），光磁気再生信号（ＭＯ），プッシュプル信号（ＰＰ）を生成する。
ＲＦアンプ２７は、生成したフォーカスエラー信号（ＦＥ）、トラッキングエラ−信号（ＴＥ）をサーボ回路３０に供給し、プッシュプル信号（ＰＰ）をアドレスデコーダ２８に供給し、光磁気再生信号（ＭＯ）をエンコード・デコード回路２３に供給する。
【００６３】
サーボ回路３１は、供給されたフォーカスエラー信号（ＦＥ），トラッキングエラ−信号（ＴＥ）に基づき、光ピックアップ２６の２軸機構を介して対物レンズを駆動し、光磁気ディスクに出射するレーザのトラッキング及びフォーカスのサーボ制御を行う。
また、サーボ回路３１は、トラッキングエラ−信号（ＴＥ）に基づき、スレッド機構３０を駆動し、光ピックアップ２６をディスクＤの半径方向に駆動するスレッドサーボ制御を行う。
また、サーボ回路３１は、図示しないディスクＤの回転検出回路からのスピンドルエラー信号に基づき、ディスクＤを線速一定（ＣＬＶ）になるようにスピンドルモータ２９を駆動するスピンドルサーボ制御を行う。
【００６４】
アドレスデコーダ２８は、光ディスクＤの案内溝に形成されているウォブリンググルーブに応じたいわゆるウォブル信号（プッシュプル信号ＰＰ）からアドレス情報を再生する。
【００６５】
エンコード・デコード回路２３は、ディスクＤからの再生信号処理として、ＲＦアンプ２７から供給される光磁気再生信号（ＭＯ）を２値化して、ＥＦＭ(eigft  to  fourteen  modulation)方式で復調を行い、さらに、ＣＩＲＣ(cross  interleaved  Read  Solomon  coding)  方式でエラー訂正のデコード処理を行う。
また、エンコード・デコード回路２３は、ディスクＤへの記録信号処理として、メモリコントローラ２１から供給される記録信号にＣＩＲＣ方式でエラー訂正符号を付加し、さらにＥＦＭ方式で変調を行って磁気ヘッド駆動回路２４に記録信号を供給する。
【００６６】
磁気ヘッド駆動回路２４は、エンコード・デコード回路２３からの記録信号に基づき磁気へッド２５を駆動し、ディスクＤに対して変調磁界に印加して信号を記録する。
またこの記録動作の際、光ピックアップ２６は、磁気ヘッド２５による磁界情報がディスク記録面に保持されるようにするため高レベルのレーザ出力を行う。
【００６７】
メモリコントローラ２１は、ランダムアクセスメモリ２２に記憶させるＡＴＲＡＣデータを制御する。このメモリコントローラ２１は、オーディオ送信部１０から供給されるＡＴＲＡＣデータを一時ランダムアクセスメモリ２２に格納した後、エンコード・デコード回路２３に供給する。
【００６８】
システムコントローラ３２は、この記録部２０全体の制御を行い、例えば、メモリコントローラ２１，エンコード・デコード回路２３，サーボ回路３１等を制御する。
また、システムコントローラ３２は、オーディオ送信部１０と制御データのやりとりを行う各回路の制御を行うが、このことについて詳しくは後述する。
【００６９】
以上の構成を有することにより、オーディオダビングシステムの記録部２０は、オーデイオ送信部１０から送信されたＡＴＲＡＣデータをディスクＤに記録する。
【００７０】
オーディオダビングシステム１のオーディオ送信部１０と記録部２０との間のデータの転送方法等について、図１２を用いて説明する。
オーディオダビングシステム１では、オーディオ送信部１０と記録部２０とを接続する接続ケーブル２が設けられておリ、この接続ケーブル２は、図１２（ａ）に示すように、オーディオ送信部１０から記録部２０に供給するＡＴＲＡＣデータが伝送されるＡＴＲＡＣライン２ａと、記録部２０からオーディオ送信部１０に供給するＡＴＲＡＣデータの要求信号(Data  Req)が伝送されるＤａｔａＲｅｑライン２ｂとを有している。
【００７１】
このＡＴＲＡＣライン２ａには、サーバ１２に格納されているコンテンツに応じたＡＴＲＡＣデータがオーディオ送信部１０のメインコントローラ１１から記録部２０のメモリコントローラ２１に伝送される。
なお、伝送されるＡＴＲＡＣデータは、記録部２０のランダムアクセスメモリ２２の容量に応じて、所定容量単位毎に伝送される。
また、ＤａｔａＲｅｑライン２ｂには、記録部２０のシステムコントローラ３２からオーディオ送信部１０のメインコントローラ１１に対してＡＴＲＡＣデータの要求を示す要求信号(Data  Req)が伝送される。すなわちＡＴＲＡＣデータが所定容量単位で伝送されるため、記録部２０は、すでに伝送済みでランダムアクセスメモリ２２に読み込んであるＡＴＲＡＣデータをディスクＤに全て書き込んだ場合は、この要求信号(Data  Req)をオーディオ送信部１０に供給して次のデータの要求をする。
【００７２】
具体的に、このＡＴＲＡＣデータと、要求信号(Data  Req)の関係を図１２（ｂ）のタイムチャートに示す。
記録部２０の記録状態が正常であれば、まず記録部２０は、時刻ｔｌｌにおいて、要求信号(Data  Req)をオーディオ送信部１０に供給する。オーディオ送信部１０は、要求信号(Data  Req)が供給されると、時刻ｔｌ２において、記録部２０に対して所定容量分のＡＴＲＡＣデータを供給の開始をする。
そして記録部２０は、ＡＴＲＡＣデータが供給されると、時刻ｔ１３において、要求信号(Data  Req)の供給を停止する。
【００７３】
また、記録部２０の記録状態が正常でなければ、時刻ｔ１４から時刻ｔ１５に示すように、記録部２０からオーデイオ送信部１０に対して要求信号(Data  Req)が供給されず、従ってオーディオ送信部１０から記録部２０に対してＡＴＲＡＣデータも供給されない。
なお、オーディオ送信部１０は、記録部２０から所定時問の間に要求信号(Data  Req)が供給されなければ、記録処理を中断する。
【００７４】
また、記録部２０は、時刻ｔ１６から時刻ｔ１７に示すように、要求信号(Data  Req)を供給しても、所定時間オーディオ送信部１０からＡＴＲＡＣデータが供給されなければ、データの書き込みの待機状態にして例えばレコーディングポーズ状態にして、ＡＴＲＡＣデータを待つ。
そして、記録部２０は、ＡＴＲＡＣデータが供給されれば、時刻ｔ１７から示すように、書き込み動作を開始する。
なお、オーディオダビングシステム１は、書き込みの待機状態が一定時間続いたときは、何らかのトラブルが発生したと判断して、処理を中断する。
【００７５】
このようにオーディオダビングシステム１では、記録部２０がオーディオ送信部１０へのＡＴＲＡＣデータの要求信号(Data  Req)を供給し、それに応じてオーディオ送信部１０がＡＴＲＡＣデ−タの記録部２０への送信を行なうことにより、確実なＡＴＲＡＣデータの記録ができる。
【００７６】
５．ＴＯＣ情報の伝送方式
また、オーディオダビングシステム１では、図１２（ａ）に示すように、オーディオ送信部１０から記録部２０に供給する制御コマンドやＴＯＣ情報等の各コマンドデータが伝送されるＣＯＭＭＡＮＤライン２ｃと、記録部２０からオーディオ送信部１０に供給する各コマンドデータの承認信号(  ＡＣＫ；ACKNOWLEDGE)  が伝送されるＡＣＫライン２ｄとを有している。
【００７７】
このＣＯＭＭＡＮＤライン２ｃには、オーデイオ送信部１０のメインコントローラ１１が生成するＴＯＣ情報や、各コンテンツのＡＴＲＡＣデータのデータサイズ等のコマンドデータが記録部２０のシステムコントローラ３２に供給される。また、ＡＣＫライン２ｄには、記録部２０がコマンドデータに基づく処理が終了した場合において、処理を終了したことを示す承認信号(ACK)  が記録部２０のシステムコントローラ３２からオーディオ送信部１０のメインコントローラ１１に対して伝送される。
【００７８】
具体的に、このコマンドデータと、承認信号(ACK)  の関係を図１２（ｃ）のタイムチャートに示す。
まず、オーデイオ送信部１０は、時刻ｔ２１において、所定のコマンドデータを記録部２０に供給する。このコマンドデータの供給が終了すると、記録部２０は、時刻ｔ２２において、供給されたコマンドデータに基づく処理を行う。
記録部２０は、このコマンドに基づく処理を終了すると、時刻ｔ２３において、承認信号(ACK)  をオーディオ送信部１０に供給する。そして、この承認信号(ACK)  が供給されると、オーディオ送信部１０は、時刻ｔ２４において、リセットコマンドを記録部２０に供給する。リセットコマンドが供給されると記録部２０は、時刻ｔ２５において、承認信号(ACK)  の供給を停止する。
なお、オーディオ送信部１０は、コマンドデータを供給しても、承認信号(ACK)  が一定時間記録部２０から供給されなけれは、何らかのトラブルが発生したと判断して、処理を中断する。
【００７９】
オーディオ送信部１０から記録部２０にＣＯＭＭＡＮＤライン２ｃを介して供給されるコマンドデータを以下の表１に示す。
【００８０】
【表１】
2008097816.tif 000003
【００８１】
セットアップコマンド(SET  UP)は、記録部２０を記録待機の状態、すなわち、レコーディングポーズの状態にするコマンドである。このセットアップコマンド(SET  UP)が供給されると、記録部２０はレコーディングポーズの状態になる。このセットアップコマンド(SET  UP)は、具体的には１バイトの“０１”のデータで与えられる。
【００８２】
スタートコマンド(START)  は、ＡＴＲＡＣデータの記録開始を示すコマンドである。このスタートコマンド(START)  が供給されると、記録部２０はディスクＤにＡＴＲＡＣデータの記録を開始する。このスタートコマンド(START)  は、具体的に、１バイトの“０２”のデータで与えられる。
【００８３】
ストップコマンド(Stop)は、各コマンドに基づく記録部２０の処理の終了を示すコマンドである。このストップコマンド(Stop)が供給されると、記録部２０は、例えばスタートコマンド(START)  に基づく記録処理等を停止する。ストップコマンド(Stop)は具体的に、１バイトの“０３”のデータで与えられる。
【００８４】
ＴＯＣ０インフォメーションコマンド(TOC0info)は、ディスクＤのＴＯＣセクタ０に記録する情報を示すコマンドである。このＴＯＣ０インフォメーションコマンド(TOC0info)とこのコマンドに続くトラックサイズ及びトラックモードの情報が供給されると、記録部２０は、トラックサイズから記録したＡＴＲＡＣデータのスタートアドレス、エンドアドレスを求め、Ｕ−ＴＯＣセクタ０にＴＯＣデータを記録する。
【００８５】
本来であれば、Ｕ−ＴＯＣセクタ０の情報は、記録部２０側が実行した記録動作に基づいて独自に生成し、ディスクＤに対して記録する。ところが、例えば複数のコンテンツのＡＴＲＡＣデータがオーディオ送信部１０から供給された場合に、記録部２０に対してはそれらが１つのデータストリームとして供給されるため、記録部２０はＴＯＣセクタ０のトラック情報を正確に生成することができない。
従って、オーディオ送信部１０から、ＴＯＣ０インフォメーションコマンド(TOC0info)として各コンテンツに対応するデータのストリーム長を示すデータサイズとトラツクモードを供給する。そして、記録部２０がこのＴＯＣ０インフォメーションコマンド(TOC0info)の情報に基づき、ディスクＤに記録するＵ−ＴＯＣセクタ０の情報を生成する。
ＴＯＣ０インフォメーションコマンド(TOC0info)は、具体的に、１バイトの“０４”のデータで与えられる。
【００８６】
トラックナンバコマンド(TNO)  は、記録するＡＴＲＡＣデータのトラック番号を指定するコマンドである。このトラックナンバーコマンド(TNO)  とこのコマンドに続くトラック番号が供給されると、記録部２０は、以下に続く例えばタイトルコマンド(Title)  等に応ずる処理をこのトラック番号に対して行う。トラックナンバコマンド(TNO)  は、１バイトの“０５”のデータで与えられる。
【００８７】
リセットコマンド(ACK-RESET)  は、記録部２０から供給された承認信号(ACK)  をリセットするコマンドである。
このリセットコマンド(ACK-RESET)  コマンドが供給されると、記録部２０は承認信号(ACK)  の供給を停止する。リセットコマンド  (ACK-RESET)は１バイトの“０８”のデータで与えられる。
【００８８】
記録状況確認コマンド(ALRIGHT)  は、記録部２０の記録状況を確認するコマンドである。この記録状況確認コマンド(ALRIGHT)  が供給されると、記録部２０は、記録が正常に行われていれば、承認信号(ACK)  をオーディオ送信部１０に供給する。記録状況確認コマンド(ALRIGHT)  は、具体的に、１バイトの“０ｂ”のデータで与えられる。
【００８９】
タイトルコマンド(Title)  は、ディスクＤのＵ−ＴＯＣセクタ１及びセクタ４に記録するタイトル情報を与えるコマンドである。このタイトルコマンド(Title)  に続いて文字列情報やキャラクタデータが供給され、これらが供給されると記録部２０は、ディスクＤのＵ−ＴＯＣセクタ１及びセクタ４に各トラックに対応するタイトル情報を記録する。タイトルコマンド(Title)  は、具体的に、１バイトの“８３”のデータで与えられる。
【００９０】
６．オーディオデータ及びＴＯＣ情報のダビング動作
つぎに、オーディオダビングシステム１のダビングのための処理内容について、図１３に示すフローチャートを用いて説明する。
オーディオダビングシステム１は、ユーザーによりサーバ１２からディスクＤに記録する１又は複数のコンテンツが選択され、及びディスクＤを記録部２０に装填する等の初期セットアップが終了すると図１３に示すステップＦ１０１からの処理を開始する。
【００９１】
ステップＦ１０１において、オーディオダビングシステム１は、表示部１４を用いてエラーチェックを行うかどうかをユーザに質問し、ユーザがエラーチェックを行うかどうかを操作入力部１３を用いて入力するとステップＦｌ０２に進む。なお、このエラーチェックに関しては後述する。
【００９２】
ステップＦｌ０２においてオーディオ送信部１０は、セットアップコマンド(SET  UP)をＣＯＭＭＡＮＤライン２Ｃを介して記録部２０に供給する。記録部２０は、セットアップコマンド(SET  UP)がオーディオ送信部１０から供給されると、ディスクＤへの記録状態をレコーディングポーズ状態に設定し、承認信号(ACK)  をＡＣＫライン２ｄを介してオーディオ送信部１０に供給する。
ステップＦ１０３においてオーディオ送信部１０は、記録部２０から承認信号(ACK)  が供給されたかどうかを判断し、承認信号(ACK)  が供給されればステップＦ１０５に進み、一方、所定時間の間に承認信号(ACK)  が記録部２０から供給されなければステップＦ１０４に進む。
【００９３】
ステップＦ１０４においては、オーディオ送信部１０は記録部２０が何らかのトラブルでディスクＤへの記録ができないと判断し、エラーメッセージ等を表示部１４に表示して、処理を終了する。
【００９４】
ステップＦ１０５に進んだ場合は、オーディオ送信部１０は、スタートコマンド(START)  をＣＯＭＭＡＮＤライン２ｃを介して記録部２０に供給する。このスタートコマンド(START)  が供給されると、記録部２０は、要求信号(Data  Req)をＤａｔａＲｅｑライン２ｂを介して、オーディオ送信部１０に供給する。この要求信号(Data  Req)が供給されると、オーデイオ送信部１０は、所定容量毎にＡＴＲＡＣデータを記録部２０に供給する。そして、このＡＴＲＡＣデータが供給されると、記録部２０はディスクＤの空き領域にデータを記録していく。
【００９５】
なお、このときユーザーにより複数のトラックが指定されていても、すなわち、複数のコンテンツが指定されても、オーディオ送信部１０は、ＡＴＲＡＣデータを１つのストリームとして記録部２０に供給する。また記録部２０は、ディスクＤに対しての記録が正常に行われなかったときに、ディスクＤの状態を記録前のディスクの状態に戻すことができるように、予めディスクのＵ−ＴＯＣの情報を外部メモリ等に保存しておく。
【００９６】
ステップＦ１０５でＡＴＲＡＣデータの記録を開始すると、ステップＦ１０６に進む。
ステップＦ１０６において、オーディオ送信部１０は、記録状況確認コマンド(ALRIGHT)  をＣＯＭＭＡＮＤライン２ｃを介して供給し、記録部２０の記録状態を確認する。オーディオ送信部１０は、記録部２０から承認信号(ACK)  が供給され、記録状態が正常であると確認すると、ステップＦ１０７に進み、このステップＦ１０７において、記録が終了したかどうかを確認する。記録が終了していなければ、再度ステップＦ１０６に戻り、記録が正常に行われているかどうかを確認する。
すなわち、このステップＦ１０６及びステップＦ１０７で、一定時間毎に、記録が正常であるかどうか及び記録が終了したかどうかを確認する。
【００９７】
記録部２０により正常に記録が行われていないと判断した場合は、ステップＦ１０６からステップＦ１０４に進み、記録処理の中断処理を行う。このときディスクＤを記録前の状態にもどすため、予め外部メモリ等に保存しておいた先のＵ−ＴＯＣ情報をディスクＤに書き込む処理を行う。
【００９８】
記録部２０により正常に記録が行なわれ、記録が終了したと判断すると、ステップＦ１０７からステップＦ１０８に進む。
ステップＦ１０８においてオーディオ送信部１０は、ストップコマンド(Stop)をＣＯＭＭＡＮＤライン２ｃを介して記録部２０に供給する。このストップコマンド(Stop)が供給されると、記録部２０は、ＡＴＲＡＣデータの記録処理を終了する。ステップＦ１０８でストップコマンド(Stop)を供給すると、ステップＦ１０９に進む。
【００９９】
ステップＦ１０９においてオーディオ送信部１０は、トラックナンバコマンド(TNO)  とともに、ＴＯＣ０インフォメーションコマンド(TOC0info)及びトラックサイズ情報と、タイトルコマンド(Title)  及びタイトルの文字数、キャラクタデータ等の必要なＴＯＣ情報を供給する。
【０１００】
記録部２０は、このようなＴＯＣ情報がオーディオ送信部１０から供給されると、この供給されたＴＯＣ情報に基づきディスクＤのＵ−ＴＯＣセクタ０からセクタ４にそれぞれ所要のデータを記録する。
なお、このときＵ−ＴＯＣセクタ０に記録されることになる、各トラックのスタートアドレスとエンドアドレスは、ＴＯＣ０インフォメーションコマンド(TOC0info)に続いて供給されるトラックサイズの情報に基づいて生成される。すなわち、ＡＴＲＡＣデータが１つのデータストリームとして供給されることから、このデータストリームを、各トラック毎にデータサイズで分割して、ＴＯＣ情報を生成する。
【０１０１】
ステップＦ１０９で必要なＴＯＣ情報を供給するとステップＦ１１０に進む。  ステップＦ１１０において、オーディオ送信部１０は、先のステップＦ１０１でユーザがエラーチェックを行うと設定したかどうかを判断する。ユーザがエラーチェックを行うと設定した場合はステップＦ１１１に進み、一方、エラーチェックを行うと設定していない場合はステップＦ１１３に進む。
【０１０２】
エラーチェックを行う場合は、ステップＦ１１１において、オーディオ送信部１０はＣＯＭＭＡＮＤライン２ｃを介して記録部２０にエラーチェックコマンドを供給する。エラーチェックコマンドが供給されると、記録部２０は記録したＡＴＲＡＣデータを読出して、記録されたデータにエラーが無いかどうかを検査する。
記録部２０によるエラーチエックが開始されると、ステップＦ１１２において、オーディオ送信部１０はエラーチェックが終了するまで待機し、エラーチェックが終了するとステップＦ１１３に進む。
【０１０３】
ステップＦ１１３では、オーディオ送信部１０は記録結果を表示部１４に表示する。例えばエラーチェックの結果として記録したデータにエラーが生じていたと判別されれば、エラーメッセージ等を表示する。なお、エラーチェックの結果、記録したデータにエラーが生じていれは、外部メモリ等に保存してある記録前のＴＯＣ情報をディスクＤに記録し、ディスクＤをダビング動作前の状態に戻すようにすることが好適である。
ステップＦ１１３で記録結果を表示すると、オーディオダビングシステム１は、一連のダビング処理を終了する。
【０１０４】
以上のように、オーディオダビングシステム１は、ステップＦ１０１からステップＦ１１３の処理を行うことにより、ディスクＤに確実にＡＴＲＡＣデータを記録することができる。
なお、以上のステップＦ１０１からステップＦ１１３の処理においては、ＡＴＲＡＣデータをすべて記録した後に、必要なＴＯＣ情報を記録部２０に供給する処理を説明したが、このような処理に限らず、オーディオ送信部１０が記録部２０に対してＡＴＲＡＣデータを供給する前に、ＴＯＣ情報を供給することもできる。
【０１０５】
すなわち、ステップＦ１０９の処理をセットアップが完了した後であってスタートコマンド(START)  を供給する前に、つまリ、ステップＦ１０３とステップＦ１０５の処理の間に行う。なお、記録部２０は、ＴＯＣ情報を記録するのは、ＡＴＲＡＣデータをディスクＤに記録した後となるため、先に供給されたＴＯＣ情報を外部メモリ等に保存させておく必要がある。
【０１０６】
またオーディオダビングシステム１では、オーディオ送信部１０が記録部２０に対してＡＴＲＡＣデータを供給している最中に、並行してＴＯＣ情報を供給することもできる。
すなわち、ＡＴＲＡＣデータと各コマンドを供給するデータラインは、ＡＴＲＡＣライン２ａとＣＯＭＭＡＮＤライン２ｃとで別となっているため、ステップＦ１０６及び１０７の処理と、ステップＦ１０９の処理とを並行して行うことができる。このようにすると一連のダビング処理のためのデータの伝送時間を短くすることができる。なお、この場合も同様に記録部２０は、ＴＯＣ情報を外部メモリ等に保存させておき、ＡＴＲＡＣデータを全て記録した後に、ＴＯＣ情報をディスクＤに記録する必要がある。
【０１０７】
また、以上のステップＦ１０１からステップＦ１１３の処理においては、複数のコンテンツに対応するＡＴＲＡＣデータを、１つのデータストリームとして取り扱って、ＴＯＣ情報を生成するために必要な情報をオーディオ送信部１０から別途記録部２０に供給する処理を説明したが、オーディオダビングシステム１では、このような処理に限らず、複数のコンテンツがユーザに指定された場合、１つのコンテンツに対応するＡＴＲＡＣデータをディスクＤに記録し、この後に記録したＡＴＲＡＣデータのＴＯＣ情報を生成して記録し、そして、さらに次のコンテンツに対応するＡＴＲＡＣデータを記録するといった処理もできる。
すなわち、ステップＦ１０５からステップＦ１０９までの処理を、１つのコンテンツ毎に繰り返すループを形成することにより、このような処理を行うことができる。
【０１０８】
つぎに、具体的に、２曲分の音楽コンテンツをディスクＤに記録する場合について、タイミングチャート等を用いて説明する。
サーバ１２には、図１４（ａ）に示すように、タイトルが“ＢｙｅＢｙｅ”，トラックモード（ｔｒｍｄ）が“ａ６”，トラックサイズが“０００２．００．００”の第１のコンテンツと、タイトルが“Ｈｅｌｌｏ”，トラックモード（ｔｒｍｄ）が“ａ６”，トラックサイズが“００１０．２ｆ．０ａ”の第２のコンテンツと、タイトルが“Ｍｏｒｎｉｎｇ”，トラックモード（ｔｒｍｄ）が“８６”，トラックサイズが“００２０．ｌｅ．００”の第３のコンテンツ・・・というような多数のコンテンツが記録されている。
【０１０９】
一方、ユーザーの持参したディスクＤには、図１４（ｂ）に示すように、タイトルが“Ｅｍｏｔｉｏｎ”，トラックモード（ｔｒｍｄ）が“ｅ６”，トラックサイズが“００１１．０５．０２”の第１のトラックと、タイトルが“Ｄｒｅａｍ”，トラックモード（ｔｒｍｄ）が“ｅ６”，トラックサイズが“００２２．ｌｆ．０ａ”の第２のトラックの２曲の音楽が記録されているとする。
【０１１０】
ここでユ−ザ−がディスクＤを記録部２０に装填するとともに、サ−バ１２内の第２、第３のコンテンツを選択してダビングのための操作を行なったとする。  サーバ１２に格納してある第２のコンテンツ（タイトルが“Ｈｅｌｌｏ”のＡＴＲＡＣデータ）及び第３のコンテンツ（タイトルが“Ｍｏｒｎｉｎｇ”のＡＴＲＡＣデータ）を、ディスクＤに記録する場合は、以下の図１５から図１８に示すように処理が行なわれる。
【０１１１】
図１５は、ＡＴＲＡＣデータを送信する際のオーディオ送信部１０と記録部２０間のコマンドデータのタイムチャートである。
まず、オーディオ送信部１０は、時刻ｔ３１において、セットアップコマンド(SET  UP)『０１』を記録部２０に供給する。セットアップコマンド(SET  UP)が供給されると、記録部２０は、時刻ｔ３２においてレコーディングポーズ状態にするとともに、承認信号(ACK)  をオーディオ送信部１０に供給する。承認信号(ACK)  が供給されると、オーディオ送信部１０は、リセットコマンド(ACK-RESET)  『０８』を記録部２０に供給して、この承認信号(ACK)  をリセットさせる。
【０１１２】
オーディオ送信部１０は、時刻ｔ３３において、スタートコマンド(START)  『０２』を記録部２０に供給する。このスタートコマンド(START)  の供給は、上述したステップＦ１０５の処理に対応する。スタートコマンド(START)  が供給されると、記録部２０は記録動作を開始するとともに、承認信号(ACK)  と、要求信号(Data  Req)をオーディオ送信部１０に供給する。
【０１１３】
オーディオ送信部１０は、時刻ｔ３４の要求信号(Data  Req)に基づいて、記録部２０に対して所定容量分のＡＴＲＡＣデータ、すなわちサーバ１２に格納してある第２のコンテンツ（タイトルが“Ｈｅｌｌｏ”のＡＴＲＡＣデータ）及び第３のコンテンツ（タイトルが“Ｍｏｒｎｉｎｇ”のＡＴＲＡＣデータ）の供給の開始をする。
そしてオーディオ送信部１０は、所定容量毎にＡＴＲＡＣデータを供給するため、時刻ｔ３５，ｔ３６，ｔ３７，ｔ３８において供給される要求信号(Data  Req)に基づき、順次データを記録部２０に供給する。
【０１１４】
またオーディオ送信部１０は、一定時間毎に記録状況確認コマンド(ALRIGHT)  『０ｂ』を供給して、記録部２０の記録状態が正常であるかどうかを調べる。この記録状況確認コマンド(ALRIGHT)  を供給して記録状態が正常であるかどうかは、上述したステップＦ１０６の処理に対応する。
記録状況確認コマンド(ALRIGHT)  に応じて記録部２０から承認信号(ACK)  が供給されれば、記録状態が正常であると判断する。そしてリセットコマンド(ACK-RESET)  『０８』を記録部２０に供給して、この承認信号(ACK)  をリセットさせる。
【０１１５】
オーディオ送信部１０は、全てのＡＴＲＡＣデータを記録部２０に供給したと判断すると、時刻ｔ３９において、ストップコマンド(STOP)『０３』を記録部２０に供給する。このストップコマンド(STOP)を供給する処理は、上述したステップＦ１０８の処理に対応する。
ストップコマンド(STOP)が供給され、供給された全てのＡＴＲＡＣデータをディスクＤに記録を終えると、記録部２０は時刻ｔ４０において記録処理を終了するとともに、承認信号(ACK)  をオーディオ送信部１０に供給する。
【０１１６】
図１６は、上述したステップＦ１１０において、オーディオ送信部１０から記録部２０に対し供給されるＴＯＣ０インフォメーションコマンド(TOCOinfo)のタイムチャートである。
なお図１６（ａ）は、オーディオ送信部１０から記録部２０に供給するデータのタイムチャートを示し、図１６（ｂ）は、各時刻におけるディスクＤのＵ−ＴＯＣセクタ０の記録状態を示している。
【０１１７】
まず、ディスクＤのＵ−ＴＯＣセクタ０には、何等ＴＯＣ０インフォメーションコマンド(TOCOinfo)が供給されていない時刻ｔ５１においては、先に記録してある第１と第２のトラック（タイトルが“Ｅｍｏｔｉｏｎ”と“Ｄｒｅａｍ”のトラック）のスタートアドレス，エンドアドレスやトラックモードが記録してある。
【０１１８】
オーディオ送信部１０は、時刻ｔ５２において、ダビングを行った１又は複数のコンテンツとしての第１のコンテンツのトラックモードと、トラックサイズを供給する。すなわち、オーディオ送信部１０は、ＴＣ０インフォメーションコマンド(TOC0info)『０４』とともに、タイトルが“Ｈｅｌｌｏ”のＡＴＲＡＣデータのコンテンツ番号（『０１』；第１のダビングトラックであることを示す）と、図１４に示したようなこのコンテンツのトラックモード『ａ６』と、このコンテンツのトラックサイズ『００１０．２ｆ．０ａ』を供給する。
【０１１９】
ダビングを行なったコンテンツのうちの第１のコンテンツ（この場合、サーバ１２内の第２のコンテンツである「Ｈｅｌｌｏ」のＡＴＲＡＣデータ）のトラックモードとトラックサイズが供給されると、記録部２０は、供給された情報に基づき、Ｕ−ＴＯＣセクタ０の情報を生成し、ディスクＤに記録する処理を行う。  従って時刻ｔ５３においては、ディスクＤのＵ−ＴＯＣセクタ０には、ダビングした第１のコンテンツに対応したトラックモード及びスタートアドレス及びエンドアドレスが記録される。
ここでディスクＤには、ダビング前にすでに２トラックが記録されていたためダビングを行なったコンテンツのうちの第１のコンテンツは、Ｕ−ＴＯＣセクタ０において第３トラックとして管理されることになる。
【０１２０】
記録部２０はこのようなＵ−ＴＯＣ処理を行なったら、例えば時刻ｔ５３において、承認信号(ACK)  を出力する。そしてオーディオ送信部１０は、承認信号(ACK)  を受け取ったらリセットコマンド(ACK-RESET)  『０８』を記録部２０に供給して、承認信号(ACK)  をリセットさせる。
【０１２１】
時刻ｔ５３以降、続いてオーディオ送信部１０は、ダビングを行なったコンテンツのうちの第２のコンテンツのトラックモードと、トラックサイズを供給する。すなわち、オーディオ送信部１０は、ＴＯＣ０インフォメーションコマンド(TOC0info)『０８』とともに、タイトルが“Ｍｏｒｎｉｎｇ”のＡＴＲＡＣデータのコンテンツ番号（『０２』；第２のダビングトラックであることを示す）と、このコンテンツのトラックモード『８６』と、このコンテンツのトラックサイズ『００２０．１ｅ．００』を供給する。
【０１２２】
ダビングを行なった第２のコンテンツのトラックモードとトラックサイズが供給されると、記録部２０は、供給された情報に基づき、Ｕ−ＴＯＣセクタ０の情報を生成し、ディスクＤに記録する処理を行う。従って時刻ｔ５４においては、ディスクＤのＵ−ＴＯＣ０には、第２のコンテンツに対応したトラックモード及びスタートアドレス及びエンドアドレスが記録される。このダビングを行なった第２のコンテンツは、ディスクＤにおける第４トラックとして管理されることになる。
【０１２３】
そしてオーディオ送信部１０は、時刻ｔ５５において、ストップコマンド(Stop)『０３』を供給する。ストップコマンド(Stop)が供給されると、記録部２０は、先に供給されたＴＯＣ０インフォメーションコマンド(TOC0info)『０４』に応じた処理が終了したものと判断し、ダビングした第２のコンテンツに対応したエンドアドレス以降にデータは無いものとして、残り分を削除する処理を行う。
【０１２４】
従って、時刻ｔ５６においては、ディスクＤには、既に記録してあった第１と第２のトラックのＵ−ＴＯＣ０のデータとともに、タイトルが“Ｈｅｌｌｏ”と“Ｍｏｒｎｉｎｇ”のトラックが続いてＵ−ＴＯＣセクタ０において管理されることになる。
【０１２５】
図１７及び図１８は、上述したステップＦ１０９において、オーディオ送信部１０から記録部２０に対し供給されるタイトル情報等のタイムチャートである。  なお、図１７（ａ）及び図１８（ａ）は、オーディオ送信部１０から記録部２０に供給するデータのタイムチャートを示し、図１７（ｂ）及び図１８（ｂ）は、各時刻におけるディスクＤのＵ−ＴＯＣセクタ１及びセクタ４の記録状態を示している。
【０１２６】
まず図１７に示すように、ディスクＤのＵ−ＴＯＣセクタ１及びＵ−ＴＯＣセクタ４には、何等タイトルコマンド(Title)  が供給されていない時刻ｔ６１においては、先に記録してある第１と第２のトラックのタイトルのみが記録してある。
【０１２７】
オーディオ送信部１０は、時刻ｔ６２以降において、ダビングを行なったコンテンツとしての第１のコンテンツのタイトルを供給する。
すなわち、オーディオ送信部１０は、タイトルコマンド(Title)  とともに、ＡＴＲＡＣデータのコンテンツ番号と、供給する文字数と、このコンテンツのタイトル“Ｈｅｌｌｏ”の文字データを供給する。
【０１２８】
具体的にはまず時刻ｔ６２に、トラックナンバコマンド(TNO)  『０５』に続いてトラックナンバ『０１』を送信し、ダビングを行なったコンテンツのうちの第１のコンテンツの情報であることを記録部２０に伝える。記録部２０においてそのトラックナンバコマンド(TNO)  に対応する処理が行なわれて承認信号(ACK)  が供給されたら、リセットコマンド(ACK-RESET)  『０８』により承認信号(ACK)  をリセットさせ、その後時刻ｔ６３にタイトルコマンド(Title)  『８３』とともに文字数と文字列デ−タの情報を送信する。
ダビングしたコンテンツとしての第１のコンテンツのタイトルが供給されると、記録部２０は、供給された情報に基づき、Ｕ−ＴＯＣセクタ１及びＵ−ＴＯＣセクタ４の情報を生成し、ディスクＤに記録する処理を行う。
【０１２９】
なお、タイトルの文字数が規定より多い場合は、処理を複数回に分けて行う。  すなわち、１回に４文字分のデータしか供給できないときは、時刻ｔ６３において示すように、まず文字数『４』として『Ｈｅｌｌ』の４文字を供給し、続いて時刻ｔ６４において、文字数『１』として『Ｏ』を供給する。
従って、時刻ｔ６５において、ディスクＤのＵ−ＴＯＣセクタ１には、ダビングした第１のコンテンツ（ディスクＤにおける第３トラック）に対応したタイトルが記録される。なお、同様の送信方式で漢字や欧州文字などによるタイトル情報が供給された場合、記録部２０はその情報に基づいてＵ−ＴＯＣセクタ４の記録を行なう。
【０１３０】
第１のコンテンツに関するタイトル情報についての記録部２０の処理が完了すると、例えば時刻ｔ６５で記録部２０から承認信号(ACK)  が供給される。オーディオ送信部１０は、リセットコマンド（ACK-RESET  ）『０８』により承認信号(ACK)  をリセットさせ、続いて図１８に示す時刻ｔ６６において、第２のコンテンツのタイトルを供給する。
すなわちオーディオ送信部１０は、まずＡＴＲＡＣデータのコンテンツ番号としてトラックナンバコマンド(TNO)  『０５』に続いてトラックナンバ『０２』を送信し、ダビングを行なったコンテンツのうちの第２のコンテンツの情報であることを記録部２０に伝える。記録部２０においてそのトラックナンバコマンド(TNO)  に対応する処理が行なわれて承認信号(ACK)  が供給されたら、リセットコマンド（ACK-RESET  ）『０８』により承認信号(ACK)  をリセットさせ、その後にタイトルコマンド(Title)  『８３』とともに文字数と文字列デ−タの情報を送信する。
なお、この場合文字列デ−タは『Ｍｏｒｎｉｎｇ』であり、４文字より大きいため、図示するように『Ｍｏｒｎ』と『ｉｎｇ』の２回に分けて送信を行なうことになる。
【０１３１】
このようにダビングした第２のコンテンツのタイトルが供給されると、記録部２０は、供給された情報に基づき、Ｕ−ＴＯＣセクタ１（場合によってはセクタ１及びセクタ４）の情報を生成し、ディスクＤに記録する処理を行う。
従って時刻ｔ６７において、ディスクＤのＵ−ＴＯＣセクタ１には、ダビングを行った第２のコンテンツ（ディスクＤにおける第４トラック）に対応したタイトルが記録される。
そして、オーディオ送信部１０は、記録部２０が全てのタイトルの記録処理を終了すると、時刻ｔ６８にストッブコマンド(Stop)『０３』を供給して処理を終了する。
【０１３２】
このような処理を行うことにより、オーディオダビングシステム１では、デイスクＤに対してダビングを行なったオ−ディオデ−タに関するＵ−ＴＯＣ情報を記録することができる。すなわち、光ディスクＤには、図１９に示すように、既に記録してあるタイトルが“Ｅｍｏｔｉｏｎ”の第１のトラック及びタイトルが“Ｄｒｅａｍ”の第２のトラックとともに、サーバ１２からダビング記録したタイトルが“Ｈｅｌｌｏ”の第３のトラック及びタイトルが“Ｍｏｒｎｉｎｇ”の第４のトラックのＴＯＣ情報とＡＴＲＡＣデータを記録することができる。
【０１３３】
以上のように、オーディオダビングシステム１では、オーディオデータ送信部１０がＡＴＲＡＣデータとともに各トラックのトラックサイズを伝送し、記録部２０がこのトラックサイズに基づき、ディスクＤに記録したデータストリームを分離して各トラックのスタートアドレスとエンドアドレスとをディスクＤのＵ−ＴＯＣに記録する。
このことにより、オーディオダビングシステム１では、ユーザにより選択されたトラックを正確にディスクＤに記録することができる。また記録部２０が、伝送されたデータストリームに応じてＡＴＲＡＣデータを１つのトラックとして記録し、この１つのトラックのデータストリームを分割するかたちで各トラックのスタートアドレスとエンドアドレスをディスクＤに記録することによリ、ディスクＤの利用効率を高めることができる。
【０１３４】
７．オーディオダビング時のモニタ動作
つぎに、オーディオダビングシステム１のオーディオ送信部１０と再生部４１との間のデータの転送方法等について説明する。
図２０はオーディオ送信部１０から記録部２０に供給するＡＴＲＡＣデータのうち、トラックの先頭部分を再生部４１に供給する場合の様子を示している。
【０１３５】
オーディオ送信部１０は、上述したように記録部２０からの要求信号(Data  Req)に基づいて、所定容量毎のＡＴＲＡＣデータを記録部２０に供給する。従って、オーディオ送信部１０は、例えば、１から１６のブロックに分割したＡＴＲＡＣデータを記録部２０に供給する場合は、図２１（ａ）（ｂ）に示すように、要求信号(Data  Req)に基づいてブロック単位でＡＴＲＡＣデータを供給する。
【０１３６】
またオーディオ送信部１０は、図２０（ｅ）のような再生部４１からの要求信号(Data  Req)に基づいて、所定容量毎のＡＴＲＡＣデータを再生部４１に供給する。このとき、再生部４１は、ＡＴＲＡＣデータのデコード処理及び再生処理を行い、音声信号を出力した後に、次の要求信号(Data  Req)をオーディオ送信部１０に供給する。
従って、再生部４１が要求信号(Data  Req)を供給する間隔は、圧縮率に応じて変わり、例えば、圧縮率が１／４程度であれば、図２０（ｃ）〜（ｅ）に示すように、記録部２０が要求信号(Data  Req)を供給する間隔（図２０（ｂ））の４倍程度となる。
【０１３７】
そしてオーディオ送信部１０は、この再生部４１からの要求信号(Data  Req)に基づき、記録部２０に供給するＡＴＲＡＣデータの先頭部分、例えば図２１（ｃ）に示すように、１番目のブロックから４番目のブロックまでのＡＴＲＡＣデータを順次供給していく。なお、このときオーディオ送信部１０は、再生部４１に供給するＡＴＲＡＣデータを予め外部のメモリに格納しておき、再生部４１からの要求信号(Data  Req)に応じて再生部４１に供給しても良い。
【０１３８】
図２１は、記録部２０が複数のトラックのＡＴＲＡＣデータをディスクＤに記録する場合において、オーディオ送信部１０から再生部４１に供給されるＡＴＲＡＣデータについて示している。
１トラックでみた場合は再生部４１に供給されるＡＴＲＡＣデータ上記図２０のようになるが、これを複数トラックのデータストリームで考えると図２１のようになる。
【０１３９】
上述したようにオーディオダビングシステム１は、複数のトラックのＡＴＲＡＣデータを１のストリームで供給する。例えば、オーディオ送信部１０は、３つのトラックをディスクＤに記録する場合は、図２１（ａ）に示すように、第１ダビングトラックから第３ダビングトラック（ダビングトラックとはダビング対象として選択されたコンテンツをいう）までを連続して記録部２０に供給する。
また、オーディオ送信部１０は、図２１（ｂ）に示すように、まず、第１ダビングトラックの送信中は、そのトラックの先頭部分のＡＴＲＡＣデータを再生部４１に供給する。続いて第２ダビングトラックの送信が開始されると、そのトラックの先頭部分のＡＴＲＡＣデータを再生部４１に供給する。さらに第３ダビングトラックの送信が開始されると、そのトラックの送信が終了するまで、第３ダビングトラックの先頭部分のＡＴＲＡＣデータを再生部４１に供給する。
【０１４０】
例えばこの図２０、図２１に示したように、再生部４１に対しては、各ダビングトラックにつきそれぞれ約１／４のＡＴＲＡＣデータが供給され、記録部２０でダビングしているトラック（コンテンツ）についてのモニタ音声として出力される。
【０１４１】
図２２，図２３は、オーディオ送信部１０から記録部２０に１又は複数のトラックのＡＴＲＡＣデータを供給してディスクＤにダビング記録する場合において、オーディオ送信部１０の制御内容を説明するフローチャートである。図２２は記録部２０へのＡＴＲＡＣデータの送信処理内容を示しており、図２３は再生部４１へのＡＴＲＡＣデータの送信処理内容を示している。
【０１４２】
オーディオ送信部１０は、記録処理が開始されると、図２２に示すステップＦ２０１〜ステップＦ２０７に示す処理を行う。
ステップＦ２０１において、オーディオ送信部１０は、記録部２０に供給するトラック（ダビングトラック）のトラック番号（以下、記録トラック番号ＷＴｎとする）を、ユーザが最初に選択したトラックに設定する。記録トラック番号ＷＴｎを設定すると、ステップＦ２０２に進む。
【０１４３】
ステップＦ２０２においてオーディオ送信部１０は、圧縮記録アドレスＷＡｎを、記録するトラックすなわちユーザが選択したトラックの先頭アドレスに設定する。サーバ２０内のアドレスとしての圧縮記録アドレスＷＡｎを設定すると、ステップＦ２０３に進む。
【０１４４】
ステップＦ２０３においてオーディオ送信部１０は、記録部２０からの要求信号(Data  Req)が有るかどうかを判断し、この要求信号(Data  Req)が発生するまでこのステップＦ２０３で待機する。そして要求信号(Data  Req)が供給されるとステップＦ２０４に進む。
【０１４５】
ステップＦ２０４においてオーディオ送信部１０は、圧縮記録アドレスＷＡｎのブロックのＡＴＲＡＣデータを記録部２０に送信する。そしてオーディオ送信部１０は、圧縮記録アドレスＷＡｎが次のブロックのアドレスとなるようにインクリメントを行い、ステップＦ２０５に進む。
【０１４６】
ステップＦ２０５においてオーディオ送信部１０は、圧縮記録アドレスＷＡｎが現在送信しているダビングトラックの終了アドレスより大きいかどうか判断する。すなわち、そのダビングトラックの全てのブロックを記録部２０に送信して、記録処理が終了したかどうかを判断する。
圧縮記録アドレスＷＡｎが記録するトラックの終了アドレスより大きくないと判断した場合は、ステップＦ２０３からの処理を繰り返す。また、圧縮記録アドレスＷＡｎがそのダビングトラックの終了アドレスより大きいと判断した場合は、ステップＦ２０６に進む。
【０１４７】
ステップＦ２０６においてオーディオ送信部１０は、現在の記録トラック番号ＷＴｎがユーザーが選択した１又は複数のコンテンツ（ダビングトラック）としての最後のコンテンツのトラック番号となっているか否かを判断する。すなわち、ダビング記録すべきトラックの全ての記録処理が終了したかどうかを判断する。
記録トラック番号ＷＴｎがダビングすべき最後のトラック番号ではないと判断した場合は、ステップＦ２０７で記録トラック番号ＷＴｎを更新する。即ち現在までに送信を終了したダビングトラックに続いて送信を実行すべきダビングトラックのトラック番号を、記録トラック番号ＷＴｎに代入する。そしてステップＦ２０２からの処理を繰り返す。
ステップＦ２０６で、記録トラック番号ＷＴｎがダビングすべき最後のトラックのトラック番号であると判断した場合は、すべてのダビングトラックについてのＡＴＲＡＣデータの送信を終えたことになるため、処理を終了する。
【０１４８】
一方、オーディオ送信部１０は、このような記録部２０へのＡＴＲＡＣデータの送信とともに、再生部４１にＡＴＲＡＣデータを送信して再生処理を実行させる場合は、図２２の処理と並行して図２３に示すステップＦ３０１〜ステップＦ３０６の処理を行う。
【０１４９】
ステップＦ３０１においてオーディオ送信部１０は、記録処理が開始されると、再生部４１に供給するトラック番号（以下、再生トラック番号ＲＴｎとする）を、ダビングトラックとして記録部２０で記録を行うために送信するトラックのトラック番号に設定する。
再生トラック番号ＲＴｎを設定すると、ステップＦ３０２に進む。
【０１５０】
ステップＦ３０２においてオーディオ送信部１０は、圧縮再生アドレスＲＡｎを、記録するトラックすなわちステップＦ３０１で設定したトラックの先頭アドレスに設定する。圧縮再生アドレスＲＡｎを設定すると、ステップＦ３０３に進む。
そしてステップＦ３０３において、記録するトラックが変更したかどうかを判断する。すなわち、上述したステップＦ２０７の処理が更新され、記録部２０に対して次のダビングトラックのＡＴＲＡＣデータの送信が開始されたかどうかを判断する。
このような記録動作としてのトラック変更があったと判断した場合は、ステップＦ３０１からの処理を繰り返す。また、トラックが変更していないと判断する場合は、ステップＦ３０４に進む。
【０１５１】
ステップＦ３０４において、記録が終了したかどうかを判断する。すなわち、上述したステップＦ２０１〜ステップＦ２０７の処理が終了したかどうかを判断する。記録が終了したと判断した場合は、再生処理を終了する。記録が終了していないと判断する場合は、ステップＦ３０５に進む。
【０１５２】
ステップＦ３０５において、オーディオ送信部１０は再生部４１からの要求信号(Data  Req)があるかどうかを判断し、この要求信号(Data  Req)が無ければ、ステップＦ３０３に戻り、トラックが変更したか、記録が終了したか或いはこの要求信号(Data  Req)があるかを判断する。つまりステップＦ３０３，Ｆ３０４，Ｆ３０５で待機する。そして再生部４１からの要求信号(Data  Req)が有ればステップＦ３０６に進む。
【０１５３】
ステップＦ３０６において、オーディオ送信部１０は、圧縮再生アドレスＲＡｎのブロックのＡＴＲＡＣデータを再生部４１に送信する。そしてその後、圧縮再生アドレスＲＡｎを次のブロックのアドレスに更新するインクリメントを行ってから、ステップＦ３０３に戻り、処理を繰り返す。
【０１５４】
以上のように、オーディオダビングシステム１では、記録部２０がＡＴＲＡＣデータを記録している間、この記録部２０が記録する圧縮されたＡＴＲＡＣデータを再生部４１が伸張して再生する。このため１又は複数のトラックをディスクＤに記録する場合に、ユーザーは記録している対応するトラックのオーディオデータを確認することができる。
【０１５５】
なお、オーディオダビングシステム１では、記録部２０へのＡＴＲＡＣデータの送信と再生部４１へのＡＴＲＡＣデータの送信をオーディオ送信部１０がそれぞれ独立に行っているため、例えば、ユーザが第１のダビングトラックの記録最中に次のダビングトラックの再生を希望した場合は、操作入力部１３を操作することにより、第１のダビングトラックの再生をスキップすることができる。具体的には、オーディオダビングシステム１は、ユーザの操作入力に基づき、ステップＦ３０３の処理を更新することにより、所定のトラックのモニタ再生をスキップさせる。
またステップＦ３０１での再生トラック番号ＲＴｎの設定を変えることで、既に記録の終了している前のトラックのモニタ音声を再生させたりすることも可能である。
このようにオーディオダビングシステム１では、複数のトラックのＡＴＲＡＣデータをディスクＤに記録する場合、記録するトラックのうち、ユーザの希望する任意のトラックを再生することができる。
【０１５６】
ところで、図２０、図２１では各トラックの先頭部分をモニタ出力すべく再生部４１に供給するようにした例を説明しているが、例えばモニタ出力させる部分は曲の先頭部に限らず各種考えられる。
図２４は、オーディオ送信部１０から記録部２０に供給するＡＴＲＡＣデータの内、トラックの任意の部分を再生部４１に供給する場合について示している。
【０１５７】
オーデイオダビングシステム１を用いてコンテンツを提供するコンテンツ提供者（楽曲提供者）が、ユーザーがディスクＤにトラックを記録する間に再生される部分を予め設定しておきたい場合がある。
例えば、曲の先頭部分と、曲のメインとなるいわゆるさびの部分と、曲の終了部分とを再生させたい場合がある。このような場合は、図２４（ａ）に示すように、記録部２０へ供給されるＡＴＲＡＣデータの内、所定部分のアドレスを設定する。そして、オーデイオ送信部１０は、アドレスが設定された部分のＡＴＲＡＣデータを再生部４１に供給し、再生部４１が図２４（ｂ）に示すようにこの供給されたＡＴＲＡＣデータを再生すれば良い。
【０１５８】
またサーバ１２は、図２５に示すように、格納しているトラック（コンテンツ）に対応させて各トラックで再生するユニット数と、これらのユニット（Ｍ１、Ｍ２・・・）のアドレスを、トラックデータテーブルに格納しておく。オーディオ送信部１０のメインコントローラ１１は、このトラックデータテーブルを参照して、再生部４１に対してＡＴＲＡＣデータを供給する。
【０１５９】
具体的にトラック１をディスクＤに記録する場合は、オーディオ送信部１０は、図２５に示すトラックデータテーブルを参照して、まず、アドレス“００００”から“００３０”を再生部４１に供給し、続いてアドレス“０２００”から“０２４０”を再生部４１に供給し、最後にアドレス“０３７０”から“０４００”までを再生部４１に供給する。従って再生部４１は、図２４（ｂ）に示すように、対応したオーディオ信号を出力できる。
【０１６０】
このようにモニタ再生すべき部位としてのユニットが設定されている場合は、図２３におけるステップＦ３０６での再生アドレスＲＡｎの更新処理として、その各ユニットの部分が順次連続して送信されていくように更新していけばよい。  即ちオーディオ送信部１０は、図２５に示すトラックデータテーブルを参照して、対応するトラックに設定されているアドレスを取得し、それに基づいてステップＦ３０６での再生アドレスＲＡｎの更新処理を行っていきながらＡＴＲＡＣデータのブロック単位の送信を行う。
【０１６１】
なお、オーディオダビングシステム１では、トラックデータテーブルに他のトラックのアドレス等を示しておくことにより、他のトラックを再生することもできる。例えば、記録する曲のアーティストの曲であって、別の曲等を再生することなどができる。
また、トラックデータテーブルの内容を表示部１４に表示させ、ユーザが再生する部分を選択できるようにすることにより、ユーザの希望するＡＴＲＡＣデータを再生することができる。
【０１６２】
８．関連情報の印刷出力
このオーディオダビングシステム１では、上述したようにデイスクＤに記録するＡＴＲＡＣデータを再生部４１によってモニタ再生するとともに、或いはＡＴＲＡＣデータを再生部４１によって再生することに代えて、関連情報再生部４６によって静止画像や動画像、テキストデータ等をディスクＤに記録するＡＴＲＡＣデータの関連情報として再生することができる。
【０１６３】
具体的にサーバ１２は、図２５に示すように、トラックデータテーブルに格納している各トラック（コンテンツ）に対応して、そのトラックのアーティストの写真や、そのトラックのイメージ画像をビットマップデータや圧縮データとして格納している。
またサーバ１２は、そのトラックの歌詞や、アーティストの履歴を示したテキストデータを格納している。
さらにサーバ１２は、このようなアーティストの写真や動画像がビデオＣＤやインターネット上のホームページにある場合は、ビデオＣＤのチャプタ番号や、ホームページアドレスを格納している。
【０１６４】
オーディオ送信部１０のメインコントローラ１１は、ユーザーにより選択されたトラックをディスクＤに記録するため、ＡＴＲＡＣデータをサーバ１２から読み出して記録部２０に供給するときに、図２５に示す関連情報のテーブルを参照して、対応するトラックのテーブルに示される情報の内容を関連情報再生部４６に供給する。
【０１６５】
ビットマップデータや圧縮データとしての画像データがある場合は、オーディオ送信部１０のメインコントローラ１１は、そのファイルをサーバ１２から取得して、関連情報再生部４６のプリンタ装置４７或いはディスプレイ４８に供給する。画像データが供給されると、関連情報再生部４６のプリンタ装置４７は、例えばユーザの操作に基づき、画像データを紙に印刷してユーザーに提供する。なおプリンタ装置４７の印刷動作としての具体例については後述する。
また、画像データが供給されると、関連情報再生部４６のディスプレイ４８は、例えばユーザーの操作に基づき、その画像データを表示する。
【０１６６】
またテキストデータがある場合は、オーディオ送信部１０のメインコントローラ１１は、そのファイルをサーバ１２から取得して、関連情報再生部４６のプリンタ装置４７或いはディスプレイ４８に供給する。テキストデータが供給されると、関連情報再生部４６のプリンタ装置４７は、例えばユーザの操作に基づき、テキストデータを紙に印刷して、ユーザに提供する。また、テキストデータが供給されると、関連情報再生部４６のディスプレイ４８は、例えばユーザの操作に基づき、テキストデータを表示する。
【０１６７】
また、ビデオＣＤやＤＶＤ等の再生位置を示すチャプタ番号がある場合は、オーディオ送信部１０のメインコントローラ１１は、そのチャプタ番号の映像データ等を光ディスクドライブ装置４５から取得して、関連情報再生部４６のプリンタ装置４７、ディスプレイ４８及びスピーカ４９に供給する。映像データ等が供給されると、関連情報再生部４６のディスプレイ４８等は、ユーザの操作に基づき、動画像や静止画像を出力する。
【０１６８】
また、ＷＷＷサーバのアドレスであるＵＲＬ(Uniform  Resource  Locator)がある場合は、オーディオ送信部１０のメインコントローラ１１は、通信用インターフェース４４を介してホームページ等からこの関連情報を取得して、関連情報再生部４６のプリンタ装置４７、ディスプレイ４８、スピーカ４９に供給する。ＷＷＷサーバの情報が供給されると、関連情報再生部４６のプリンタ装置４７、ディスプレイ４８等は、ユーザの操作に基づき、動画像、静止画像、音声、文字情報等を出力する。
【０１６９】
以上のように、オーディオダビングシステム１では、ディスクＤにＡＴＲＡＣデータを記録している最中に、予めサーバ１２に格納してある画像、音声、及びテキストデータや、他の記録媒体であるＣＤ−ＲＯＭ，ビデオＣＤや、伝送媒体を介してインターネット等のネットワークから関連情報を取得することができる。従って、オーディオダビングシステム１は、ディスクＤにＡＴＲＡＣデータを記録中に、その曲を歌っているアーティストの映像や、メッセージをディスプレイ４８に表示し、また、その曲の歌詞やアーティストのプロフィール等をプリンタ装置４７により提供できる。また、ビデオＣＤやＤＶＤの光ディスクドライブ装置４５を備えていることから、アーティストのプロモーション映像等を表示することができ、さらには、通信用インターフェース４４により伝送媒体を介して、アーテイスト情報等を供給することができる。
【０１７０】
ここで、上述した再生部４１や、ディスプレイ４８、スピーカ４９の出力は、例えばユーザーがディスクＤにダビングを行っている間においてのみユーザーに対して提供されるものであるが、プリンタ装置４７による印刷出力は、例えばダビングしたディスクＤとともにユーザーが持ち帰ることのできるものであり、ディスクＤにダビングする楽曲等の提供とともに提供する付加物としての価値を与えることができる。
そして本例では、この印刷出力により楽曲等の提供形態に付加価値が与えられるようにしている。
【０１７１】
図２６は関連情報の印刷出力のためのメインコントローラ１１の処理を示している。
例えばユーザーは、ダビング実行中において表示部１４の表示に従って操作入力部１３から操作を行うことで、所望の関連情報を印刷出力させて持ち帰ることができる。
【０１７２】
ユーザーが１又は複数の関連情報の指定を行ってプリント実行指示を行った場合、処理はステップＦ４０１からＦ４０２に進み、まずメインコントローラ１１はその操作内容を取り込む。そしてステップＦ４０３で、ユーザーの要求する関連情報のプリントが実行されるようにプリンタ装置４７に送信するプリントデータを生成する。
そしてステップＦ４０４においてプリントデータとともに、プリンタ実行のコマンドをプリンタ装置４７に送信する。
プリンタ装置４７はその送信データに基づいて印刷出力を行うことで、ユーザーに所望する情報を紙／カード形態やシール／ラベル形態で提供できる。
なお、例えばプリントされる内容はコンテンツ毎に予め決められており、ユーザーが選択できないようにしてもよい。
【０１７３】
このようなプリント出力の内容としては、その内容種別や印刷用紙の種別などで各種考えられる。
関連情報のソースとしては上記したようにサーバ１２内のテーブル、光ディスクドライブ４５で再生される光ディスク、通信用インターフェース４４を介したインターネットがあり、さらには操作入力部１３によるユーザーの入力も関連情報として用いることも可能である。
【０１７４】
また、関連情報の形態的な種別としては、ビットマップデータなどの画像データと、テキストデータなどの文字データが主なものとなるが、その内容としては、コンテンツとしての曲のタイトル、歌詞、アルバムタイトル、アーティスト名、作詞者／作曲者／編曲者／プロデューサ等の名前（制作クレジット）、アーティストの経歴、メッセージ、曲やアルバムの解説、アーティストその他の写真画像、曲のイメージ画像、アルバムのジャケット画像など、非常に多様な情報内容が考えられる。
【０１７５】
このような関連情報のプリント出力として、次のａ〜ｄのような例を順次説明していく。
ａ．ミニディスク用のラベルのプリントアウト
ｂ．歌詞カード、ジャケットカードのプリントアウト
ｃ．ビデオＣＤ等による再生画像のプリントアウト
ｄ．インターネット情報のプリントアウト
【０１７６】
ａ．ミニディスク用のラベルのプリントアウト
本例でディスクＤとして使用されるミニディスクの外観は、図２７のようになっている。
記録再生が行われる光磁気ディスクＤはカートリッジ７２内に装着されておりユーザーは取り出すことはできない。記録再生時には、記録再生装置によってシャッタ７３がスライドされることでディスクＤが露出され、光学ヘッドや磁気ヘッドがディスクＤに対して記録再生動作を行うことができるようにされている。  またこのカートリッジ７２はケース８０に収納可能であり、保存の際や持ち運びの際には、ケース８０に収納しておくことが奨励されている。
【０１７７】
ディスクＤ内に記録した楽曲等の内容については、ユーザーがひとめでわかるようにできることが好ましく、このためにカートリッジ７２及びケース８０には、ユーザーが自分で曲目等を書き込んだラベルを貼付できる領域が用意されている。
即ちカートリッジ７２には、その側面に長細い領域としてのラベル貼付領域７５が形成されているとともに、上面側であってシャッタ７３にかからない範囲で、ラベル貼付領域７４が形成されている。
また図２８（ａ）（ｂ）はケース８０の底面及び上面を示している。図２８（ｂ）のケース８０の上面は、例えば透明樹脂で形成されているが、図２８（ａ）の底面側は不透明の樹脂とされている。そしてその底面側の大部分はラベル貼付領域８１とされている。
【０１７８】
例えばこのようにラベル貼付領域７４，７５，８１が形成されることにより、ユーザーは例えばラベル貼付領域７４にタイトルを記入したラベルを貼り、またラベル貼付領域７５，８１に収録してある曲目等を記入したラベルを貼っておくことで、普段の使用に便利なものとなる。
そこで本例のオーディオダビングシステム１では、ディスクＤに楽曲等のダビングが行われる際に、関連情報を利用して、ラベル貼付領域７４，７５，８１に貼付できるようなラベルを印刷により生成し、ユーザーに提供できるようにする。
【０１７９】
例えば印刷用紙としてプリンタ装置４７には、図２９に示すようになシール台紙９０を用意しておく。このシール台紙９０は、それぞれラベル貼付領域７４，７５，８１に合致するサイズとされているシール（ラベル）９２，９３，９１が、その台紙部９４上に貼付された状態となっている。
【０１８０】
図２６のステップＦ４０２で取り込むユーザーの操作内容に応じてメインコントローラ１１はプリントデータを生成するが、その操作内容としてラベル印刷が選択され、また各ラベルとしての画像やテキストデータがそれぞれ所定の画像やテキストデータに選択されたとする。
するとメインコントローラ１１は、例えば図２９のようなラベルを印刷出力するためのプリントデータを生成する。
具体的には図２９の場合は、ラベル９２としてタイトル及びアーティスト名のテキストデータ、ラベル９３としてアーティストの写真等の画像データ及びダビングした曲目としてのテキストデータ、ラベル９１としてアーティストの写真等の画像データが、それぞれプリントデータとしてメインコントローラ１１で形成され、プリンタ装置４７に送信されることで、図示するような文字や画像が印刷されたラベルが配されたシール台紙９０がプリントアウトされるものである。
【０１８１】
ユーザーの選択操作に応じて、もしくは予め設定された内容などにより、図２９のようなミニディスク用のラベルをユーザーに提供できるようにすることで、ユーザーは記録部２０でダビングしたディスクＤに対してそのラベルを使用することができ、大変便利なものとなる。
特にミニディスクのような小型のディスクでは、ラベル貼付領域７４，７５，８１も小さく、ユーザーが自分でラベルに文字等を書くのはあまり容易なことではないため、必要な画像や文字を印刷したラベルを提供できることは非常に付加価値の高いものとなる。
【０１８２】
ｂ．歌詞カード、ジャケットカードのプリントアウト
プリンタ装置４７による印刷出力はシール／ラベル形態ではなく、もちろん通常の紙に行ってもよい。
例えば所定のサイズの印刷用紙を用意しておき、ユーザーの選択もしくは自動
設定により、関連情報としての文字や画像をプリントアウトする。
図３０（ａ）はダビングを行ったトラックに応じて歌詞カードをプリントアウトした例を示し、また図３０（ｂ）はダビングを行ったトラックに応じてアーティストの写真やイメージ画像などによるジャケットカードをプリントアウトした例を示している。
【０１８３】
このような通常の用紙によるプリントアウトの場合は、そのサイズが図２９のラベルの場合のように小さいサイズに限定されないため、例えば歌詞、メッセージ、解説のように文字数が多い情報などであってもユーザーに提供できる。
もちろん印刷用紙に印刷する内容は他にも各種考えられる。印刷用紙のサイズは各種考えられるため、多数の多様な情報を一度に提供することも可能である。  またユーザーの便宜をはかるために、この印刷用紙のサイズは、例えば折り畳むとミニディスクのカートリッジ７２とともにケース８０内に収納できるサイズとすることも一例として考えられる。
【０１８４】
ｃ．ビデオＣＤ等による再生画像のプリントアウト
上記のようにメインコントローラ１１はサーバ１２内のトラックデータテーブルを参照することで、ダビング動作中に光ディスクドライブ４５を再生させてダビングしているトラックに関連する映像／音声をディスプレイ４８、スピーカ４９から出力させることができる。
このとき例えば操作入力部１３を用いてユーザーが、光ディスクドライブ４５の再生映像のサーチ、スロー再生、一時停止などを行いながら好みの画像を選択することで、メインコントローラ１１がその選択された画像データをプリントデータとしてプリンタ装置４７に供給し、印刷を実行させるようにしてもよい。
例えばダビングしている楽曲のプロモーションビデオを光ディスクドライブ４５で再生させている場合などに、ユーザーはその中の好みの場面の画像をダビングした楽曲とともに手に入れることができる。
【０１８５】
ｄ．インターネット情報のプリントアウト
またメインコントローラ１１はサーバ１２内のトラックデータテーブルを参照することで、ダビング動作中の楽曲に関連するインターネットホームページ等をアクセスでき、その楽曲やアーティスト等の情報を入手できる。
その情報を例えばユーザーの操作に従いながらディスプレイ４８に表示出力することができるが、その中でユーザーが印刷すべく指定した画像データや文字データを、メインコントローラ１１がプリントデータとしてプリンタ装置４７に供給し、印刷を実行させるようにしてもよい。
これによりユーザーはダビングしている楽曲やアーティストに関連した、より広く、また最新の情報をダビングした楽曲とともに手に入れることができる。
【０１８６】
以上のように各種のプリントアウト形態が考えられるが、もちろんさらに多様な例が考えられることはいうまでもない。
また本例のオーディオダビングシステム１はコンテンツ単位（楽曲単位）でダビングできるシステムであるため、複数のアーティストの曲がダビングされる場合などもあり、印刷するアルバムタイトル等は、自動的には設定しにくい場合もある。そこで、ユーザーが選択した１番目の曲のタイトルをアルバムタイトルとして用いるようにしたり、或いはユーザーに操作入力部１３からアルバムタイトルとなる文字列を入力させるようにしてもよい。
【０１８７】
また収録曲目として曲名を一覧印刷する場合においては、単にダビングしたトラックの曲名が順次並べられるようにしてもよいが、例えばダビング前に既にディスクＤに１又は複数の楽曲が録音されていた場合は、それらの楽曲も含めたうえで、ダビング後の時点でディスクＤに収録されている曲の一覧のような形態で印刷してもよい。ダビング前に記録されている楽曲の曲名等は、メインコントローラ１１が記録部２０からディスクＤのＴＯＣ情報の送信を要求することで取り込めるようにすればよい。
【０１８８】
９．撮影画像を含めた印刷出力
つぎに、以上に説明した実施の形態のオーディオダビングシステム１にさらに機能を追加した例を説明する。
図３１の構成例は、図１の構成に加えて撮影装置部５０、画像編集部５１、アップロードシステム５２が設けられた例である。
【０１８９】
アップロードシステム５２は、サーバ１２内のコンテンツとして、楽曲等の提供者がＡＴＲＡＣデータやアドレステーブル等を収録させることができる装置部を示している。
楽曲提供者は新たな楽曲やそれに伴う関連情報をサーバ１２内にアップロードすることで、以降その楽曲をユーザーへの販売／サービスとしてのダビング動作に供することができるとともに、上記のプリントアウトとしての付加情報を提供できる。
【０１９０】
またこのアップロードシステム５２を、一般ユーザーが使用できるようにすることで、楽曲提供者を規定しない自由な情報システムを構築できる。
例えばアマチュアミュージシャン等が自作の楽曲をミニディスクに収録して持参し、アップロードシステム５２を用いてサーバ１２内に登録することで、自作の曲をこのオーディオダビングシステム１により広く公開できることになる。
なお、記録部２０に装填されたディスクＤのＡＴＲＡＣデータ及びＴＯＣ情報の送信機能を付加することで、記録部２０をアップロードシステムとして兼用させることも可能である。
【０１９１】
撮影装置部５０は、特にプリンタ装置４７での印刷内容としての多様性を持たせるためのものとなる。
撮影装置部５０は例えばＣＣＤカメラなどを備え、使用中のユーザーなどを撮影できるようにしてある。
撮影装置部５０で撮影された画像データは画像編集部５１において編集される。画像編集部５１にはメインコントローラ１１からの画像データも供給され、例えば撮影画像との合成編集などが行われる。
そして画像編集部５１で編集された画像データはプリントデータとしてプリンタ装置４７に供給され、印刷出力される。
【０１９２】
このようなシステムにおいてユーザーは、例えば表示部１４のガイド表示をみながら操作入力部１３を用いて、背景画像を選択し、その上で撮影装置部５０で自分の顔等を撮影させる。
【０１９３】
例えばメインコントローラ１１は、ダビング中の楽曲の関連情報としての画像データのいくつかを背景画像として表示部１４に表示し、ユーザーに好みの背景画像を選択させる。そして選択がされた後においてユーザーに撮影を行う旨を伝え、撮影を行う。
撮影された画像データは画像編集部５１に送られるが、メインコントローラ１１は、選択された背景画像としての画像データを画像編集部５１に送る。
画像編集部はユーザーの撮影画像データと背景画像データを合成して、その合成画像データをプリンタ装置４７に送信する。
【０１９４】
プリンタ装置４７はその合成画像データの印刷出力を行う。これにより、例えばユーザーがダビングしている楽曲を演奏しているアーティストの写真を背景画像として選択した場合は、図３２に示すように、ユーザーが、そのアーティストと一緒に写っているような画像などをプリント出力できる。また、このような画像データをシール台紙上のシール紙に印刷して出力するようにしても、ユーザーの楽しみを広げることができる。
【０１９５】
以上、実施の形態の印刷出力の例を説明してきたが、ユーザーにダビングする楽曲等の付加情報を持ち帰り可能なものとして提供する形態としては、印刷出力によるもの以外には、そのディスクＤ自体を利用する形態も考えられる。
例えば印刷対象として述べてきた画像データや文字データを、ディスクＤのＵ−ＴＯＣの所定のセクターに記録できるようにしてもよい。例えばＵ−ＴＯＣセクターとしての未使用のセクターを、文字データや画像データの記録領域として割り当てる。そしてユーザーは所有するミニディスク再生装置等によりその文字、画像データ等を読みとり、パーソナルコンピュータシステム等のディスプレイで表示させたり、プリンタで印刷出力させたりできるようにすることも考えられる。
【０１９６】
なお、本実施の形態においては、オーディオデータを光磁気ディスクに記録する場合について説明したが、本発明は、オーディオデータに限らず、例えばビデオデータを記録するものにも適用できる。
また、ミニディスク等の光磁気ディスクに限らずランダムアクセスが可能な記録媒体であれば、他の記録媒体であってもよい。
【図面の簡単な説明】
【０１９７】
【図１】本発明の実施の形態のオーディオダビングシステムのブロック図である。
【図２】ミニディスクシステムのクラスタ構造の説明図である。
【図３】ミニディスクシステムのクラスタフォーマットの説明図である。
【図４】ミニディスクのＵ−ＴＯＣセクタ０の説明図である。
【図５】ミニディスクのＵ−ＴＯＣセクタ０のアドレスデータの説明図である。
【図６】ミニディスクのＵ−ＴＯＣセクタ０のトラックモードの説明図である。
【図７】ミニディスクのＵ−ＴＯＣセクタ０のリンク形態の説明図である。
【図８】ミニディスクのＵ−ＴＯＣセクタ１の説明図である。
【図９】ミニディスクのＵ−ＴＯＣセクタ２の説明図である。
【図１０】ミニディスクのＵ−ＴＯＣセクタ４の説明図である。
【図１１】実施の形態のオーディオダビングシステムのオーディオ送信部と記録部のブロック図である。
【図１２】実施の形態のＡＴＲＡＣデータ及びＴＯＣ情報の送信の説明図である。
【図１３】実施の形態のダビング処理のフローチャートである。
【図１４】実施の形態のサーバとディスクの内容例の説明図である。
【図１５】実施の形態のダビング時のＡＴＲＡＣデータ送信の説明図である。
【図１６】実施の形態のダビング時のＵ−ＴＯＣセクタ０のデータ送信の説明図である。
【図１７】実施の形態のダビング時のＵ−ＴＯＣセクタ１，セクタ４のデータ送信の説明図である。
【図１８】実施の形態のダビング時のＵ−ＴＯＣセクタ１，セクタ４のデータ送信の説明図である。
【図１９】実施の形態のダビング後のディスクのＵ−ＴＯＣの説明図である。
【図２０】実施の形態のダビング時のモニタ音声再生の説明図である。
【図２１】実施の形態のダビング時のモニタ音声再生の説明図である。
【図２２】実施の形態のダビング時の記録部に対する処理のフローチャートである。
【図２３】実施の形態のダビング時の再生部に対する処理のフローチャートである。
【図２４】実施の形態のダビング時のモニタ音声再生の説明図である。
【図２５】実施の形態のサーバに保持されるアドレステーブルの説明図である。
【図２６】実施の形態のプリント出力のための処理のフローチャートである。
【図２７】ミニディスクのカートリッジ及びケースの斜視図である。
【図２８】ミニディスクのケースの底面図及び平面図である。
【図２９】実施の形態のプリント出力されるラベルの説明図である。
【図３０】実施の形態のプリント出力されるカードの説明図である。
【図３１】実施の形態の撮影装置部が付加されたオーディオダビングシステムのブロック図である。
【図３２】実施の形態のプリント出力される画像の説明図である。
【符号の説明】
【０１９８】
１  オーディオダビングシステム、２  接続ケーブル、１０  オーディオ送信部  １１  メインコントローラ、１２  サーバ、１３  操作入力部、１４  表示部、２０  記録部、３２  システムコントローラ、４１  再生部、４４  通信用インターフェース、４５  光ディスクドライブ、４６  関連情報再生部、４７  プリンタ装置、４８  ディスプレイ、４９  スピーカ、５０  撮影装置部、５１  画像編集部、５２  アップロードシステム
【図１】
2008097816.tif 000004
【図２】
2008097816.tif 000005
【図３】
2008097816.tif 000006
【図４】
2008097816.tif 000007
【図５】
2008097816.tif 000008
【図６】
2008097816.tif 000009
【図７】
2008097816.tif 000010
【図８】
2008097816.tif 000011
【図９】
2008097816.tif 000012
【図１０】
2008097816.tif 000013
【図１１】
2008097816.tif 000014
【図１２】
2008097816.tif 000015
【図１３】
2008097816.tif 000016
【図１４】
2008097816.tif 000017
【図１５】
2008097816.tif 000018
【図１６】
2008097816.tif 000019
【図１７】
2008097816.tif 000020
【図１８】
2008097816.tif 000021
【図１９】
2008097816.tif 000022
【図２０】
2008097816.tif 000023
【図２１】
2008097816.tif 000024
【図２２】
2008097816.tif 000025
【図２３】
2008097816.tif 000026
【図２４】
2008097816.tif 000027
【図２５】
2008097816.tif 000028
【図２６】
2008097816.tif 000029
【図２７】
2008097816.tif 000030
【図２８】
2008097816.tif 000031
【図２９】
2008097816.tif 000032
【図３０】
2008097816.tif 000033
【図３１】
2008097816.tif 000034
【図３２】
2008097816.tif 000035